(57)【特許請求の範囲】
【請求項１】
前面に配設されたレール部材により遊技領域が画成された遊技盤と、前記遊技盤に配設されて前記遊技領域に開口する入賞口が形成された入賞部材と、前記遊技領域の最下部に位置するよう前記遊技盤に形成され、当該遊技領域の最下部まで流下した遊技球を遊技盤の外部に排出させるアウト口とを備え、前記遊技盤の遊技領域に打ち出された遊技球が前記入賞部材の入賞口に入賞することで所定の遊技条件が成立するよう構成された遊技機において、
前記遊技盤は、
遊技球の入球を契機として所定の遊技条件が成立する入球部と、
前記遊技領域を流下する遊技球が前記入球部へ入球可能な流路を形成する第１案内手段と、
前記第１案内手段の下方に設けられ、前記遊技領域を流下する遊技球を前記入球部の下方へ誘導する流路を形成する第２案内手段と、
前記第１案内手段に設けられて前記入球部へ入球可能な流路から逸れる方向への遊技球の移動を許容する球通過部と、
前記第２案内手段に設けられて前記入球部の下方へ誘導する流路から逸れる方向への遊技球の移動を許容する落下口とを備え、
前記入賞部材は、
前記遊技盤の前面に当接させた状態で固定され、前記遊技領域を流下する遊技球が前面側を通過可能な台板部と、
前記台板部から前方へ突出するよう設けられて前記レール部材から前記第１案内手段に向けて下方傾斜し、前記遊技領域を流下する遊技球を第１案内手段へ案内する第１の球転動部と、
前記台板部から前方へ突出するよう設けられて前記レール部材から前記第２案内手段に向けて下方傾斜し、前記遊技領域を流下する遊技球を第２案内手段へ案内する第２の球転動部と、
前記第２案内手段より下方に位置する複数の前記入賞口に対応して設けられ、当該入賞口に入賞した遊技球を遊技盤の裏側に誘導する複数の球樋部と、
前記第１の球転動部および前記第２の球転動部の前端部に設けられると共に前記球樋部の前面を被覆する装飾カバーとを備え、
前記装飾カバーは、前記遊技領域の外縁領域のうち、前記第１の球転動部および前記第２の球転動部の間に位置する領域を、前側から覆うよう前記レール部材に沿って延在する第１カバー部と、前記外縁領域のうち、前記第２の球転動部よりも下方において前記複数の球樋部の間および当該球樋部より前記レール部材側に位置する領域を、前側から覆うよう前記レール部材に沿って延在する第２カバー部とを備え、該第２カバー部の裏側には、前記複数の球樋部よりも前記レール部材側に球通路が形成されると共に、当該球通路の球入口が前記球樋部の間に形成されて、前記遊技領域を流下して前記第２案内手段の前記落下口を通過した遊技球が、当該球入口を介して球通路に流入するか、前記入賞口に入賞し得るよう構成され、
前記球通過部を通過した遊技球が前記第１カバー部と遊技盤の前面との間を通過する際に前記第２の球転動部へ向けて誘導され得るよう構成された
ことを特徴とする遊技機。
【請求項２】
前記入賞部材は、前記台板部を有する取付部材と、前記装飾カバーおよび前記球樋部を有する前側部材とから構成され、
前記球樋部は、前記前側部材と前記取付部材とを組み付けた際に、前記取付部材に形成された後側球樋部の前方開口に連通するよう構成された請求項１記載の遊技機。
【発明の詳細な説明】
【技術分野】
【０００１】
この発明は、遊技盤の遊技領域に遊技球を流下させて遊技が行われるよう構成された遊技機に関するものである。
【背景技術】
【０００２】
例えば遊技機としてのパチンコ機は、パチンコ球(遊技球)が流下可能な遊技領域が画成された遊技盤に、パチンコ球が入賞可能な始動入賞部や、飾り図柄を変動表示して図柄組合せ演出を行なう液晶式やドラム式等の図柄表示装置(演出表示手段)が設けられ、遊技領域を流下するパチンコ球が始動入賞口へ入賞するのを契機として、図柄表示装置において図柄組合せ演出を開始するよう構成されている。このようなパチンコ機では、始動入賞部へのパチンコ球の入賞を判定条件の成立として当り判定が行われ、図柄表示装置に所定の当り表示となる組合せで飾り図柄(例えば同一図柄の三つ揃等)が表示されることで、当り判定の結果が当り判定であることが遊技者に認識可能に報知されて、その後にアタッカーとも称される特別入賞部の開閉部材を開閉作動して遊技者に有利な特別遊技(大当り遊技や小当り遊技)が付与されるよう構成されている。また、前記遊技盤には、前記当りか否か判定が行われる契機となる始動入賞部や、特別遊技に伴って開放される特別入賞部の他に、普通入賞部が遊技領域の適宜位置に設けられており、当該遊技盤の遊技領域を流下するパチンコ球が普通入賞部に入賞した場合に、所定数の賞球を払い出すよう構成されている(例えば特許文献１参照)。ここで、多くのパチンコ機では、前記遊技領域の左右下部位置に複数の普通入賞部を設けることが一般的である。
【先行技術文献】
【特許文献】
【０００３】
【特許文献１】特開２０１４−３３８２６号公報
【発明の概要】
【発明が解決しようとする課題】
【０００４】
ここで、特許文献１のように、各入賞部の存在位置が判別するように始動入賞部や普通入賞部といった入賞部を独立して個別に遊技盤に配置することで、遊技領域を流下するパチンコ球を全体的に確認することができる。しかしながら、遊技領域には、流下する過程によって何れかの入賞部に入賞可能なパチンコ球と、何れの入賞部にも入賞不可能となったパチンコ球が混在しているため、遊技領域を流下するパチンコ球の内で入賞可能性があるか否かを判別することは容易ではない。このため、遊技領域を流下するパチンコ球に対する遊技者の関心が分散されてしまい、遊技の興趣を損なうことが懸念される。また、分離独立した複数の入賞部に対して前面に装飾を個別に設ける構成では、遊技盤全体としての装飾の統一性が損なわれ、パチンコ機の魅力を充分に高めることができないケースもある。
【０００５】
すなわち本発明は、従来の技術に係る遊技機に内在する前記課題に鑑み、これを好適に解決するべく提案されたものであって、遊技領域を流下する遊技球に対する関心を高めつつ装飾性を向上させ得る遊技機を提供することを目的とする。
【課題を解決するための手段】
【０００６】
前記課題を解決し、所期の目的を達成するため、本発明の請求項１に係る発明は、
前面に配設されたレール部材(25)により遊技領域(22)が画成された遊技盤(20)と、前記遊技盤(20)に配設されて前記遊技領域(22)に開口する入賞口(55a)が形成された入賞部材(60)と、前記遊技領域(22)の最下部に位置するよう前記遊技盤(20)に形成され、当該遊技領域(22)の最下部まで流下した遊技球を遊技盤(20)の外部に排出させるアウト口(30)とを備え、前記遊技盤(20)の遊技領域(22)に打ち出された遊技球が前記入賞部材(60)の入賞口(55a)に入賞することで所定の遊技条件が成立するよう構成された遊技機において、
前記遊技盤(20)は、
遊技球の入球を契機として所定の遊技条件が成立する入球部(51)と、
前記遊技領域(22)を流下する遊技球が前記入球部(51)へ入球可能な流路を形成する第１案内手段(NL1〜NL3,33)と、
前記第１案内手段(NL1〜NL3,33)の下方に設けられ、前記遊技領域(22)を流下する遊技球を前記入球部(51)の下方へ誘導する流路を形成する第２案内手段(NL4)と、
前記第１案内手段(NL1〜NL3,33)に設けられて前記入球部(51)へ入球可能な流路から逸れる方向への遊技球の移動を許容する球通過部(Ta)と、
前記第２案内手段(NL4)に設けられて前記入球部(51)の下方へ誘導する流路から逸れる方向への遊技球の移動を許容する落下口(Tb1,Tb2)とを備え、
前記入賞部材(60)は、
前記遊技盤(20)の前面に当接させた状態で固定され、前記遊技領域(22)を流下する遊技球が前面側を通過可能な台板部(102)と、
前記台板部(102)から前方へ突出するよう設けられて前記レール部材(25)から前記第１案内手段(NL1〜NL3,33)に向けて下方傾斜し、前記遊技領域(22)を流下する遊技球を第１案内手段(NL1〜NL3,33)へ案内する第１の球転動部(111)と、
前記台板部(102)から前方へ突出するよう設けられて前記レール部材(25)から前記第２案内手段(NL4)に向けて下方傾斜し、前記遊技領域(22)を流下する遊技球を第２案内手段(NL4)へ案内する第２の球転動部(112)と、
前記第２案内手段(NL4)より下方に位置する複数の前記入賞口(55a)に対応して設けられ、当該入賞口(55a)に入賞した遊技球を遊技盤(20)の裏側に誘導する複数の球樋部(113)と、
前記第１の球転動部(111)および前記第２の球転動部(112)の前端部に設けられると共に前記球樋部(113)の前面を被覆する装飾カバー(120)とを備え、
前記装飾カバー(120)は、前記遊技領域(22)の外縁領域(OA1,OA2)のうち、前記第１の球転動部(111)および前記第２の球転動部(112)の間に位置する領域(OA1)を、前側から覆うよう前記レール部材(25)に沿って延在する第１カバー部(121)と、前記外縁領域(OA1,OA2)のうち、前記第２の球転動部(112)よりも下方において前記複数の球樋部(113)の間および当該球樋部(113)より前記レール部材(25)側に位置する領域(OA2)を、前側から覆うよう前記レール部材(25)に沿って延在する第２カバー部(122)とを備え、該第２カバー部(122)の裏側には、前記複数の球樋部(113)よりも前記レール部材(25)側に球通路(125)が形成されると共に、当該球通路(125)の球入口(115)が前記球樋部(113)の間に形成されて、前記遊技領域(22)を流下して前記第２案内手段(NL4)の前記落下口(Tb1,Tb2)を通過した遊技球が、当該球入口(115)を介して球通路(125)に流入するか、前記入賞口(55a)に入賞し得るよう構成され、
前記球通過部(Ta)を通過した遊技球が前記第１カバー部(121)と遊技盤(20)の前面との間を通過する際に前記第２の球転動部(112)へ向けて誘導され得るよう構成されたことを要旨とする。
【０００７】
このように、入賞口に対応して設けられた球樋部からレール部材の間を覆うよう延在する装飾カバーの裏側に球通路を形成することで、当該球通路を通過する遊技球を目立ち難くすることができる。このため、遊技領域を流下する遊技球の内で入賞可能性がある遊技球を相対的に目立たせることができるから、遊技領域を流下する遊技球に対する遊技者の関心を高めて遊技の興趣を向上することができる。また、入賞口に連通する複数の球樋部の間に延在するよう装飾カバーを設けるよう構成したことで、入賞部材(遊技盤)の装飾の自由度が向上し、遊技盤に統一性のある装飾を施すことが可能となる。また、前記装飾カバーの裏側に球通路を形成することで、遊技球の流下経路を複雑にできる。
更に、入球部へ向かう可能性が低下した遊技球が流下する経路を装飾カバーで覆うようにしたことで、入球部へ向かう可能性がある遊技球に対して遊技者の関心を集中させて遊技の興趣を高め得る。
【０００８】
請求項２に係る発明は、
前記入賞部材(60)は、前記台板部(102)を有する取付部材(101)と、前記装飾カバー(120)および前記球樋部(113)を有する前側部材(110)とから構成され、
前記球樋部(113)は、前記前側部材(110)と前記取付部材(101)とを組み付けた際に、前記取付部材(101)に形成された後側球樋部(105)の前方開口に連通するよう構成されたことを要旨とする。
本願には、次のような技術的思想が含まれる。
前記装飾カバー(120)は、前記入賞部材(60)の上端から下端まで延在する単一の板状に形成されていることを要旨とする。
このように、装飾カバーを単一の板状に形成することで、入賞口や球通路の球入口の形成位置に関わらず自由な形態で装飾カバーを形成することが可能となり、遊技機に合わせた遊技盤の装飾を容易に実現可能になる。
【０００９】
本願には、次のような技術的思想が含まれる。
前記球通路(125)は、前記球樋部(105,113)の下方において前記レール部材(25)に沿って延在するよう形成されると共に、前記アウト口(30)側の端部において球出口(125a)が前記遊技領域(22)内に開口するよう形成され、前記球入口(115)を介して当該球通路(125)に流入した遊技球がレール部材(25)に沿って前記装飾カバー(120)の裏側を転動して球出口(125a)からアウト口(30)に向けて排出されるよう構成されたことを要旨とする。
このように、遊技者の関心が薄れるアウト口に導かれる遊技球が通過する球通路の前面を装飾カバーで覆うことで、遊技盤に設けられた入賞口に入賞する可能性がある遊技球に対して遊技者の関心を集中させて遊技の興趣を高め得る。
【００１０】
請求項４に係る発明は、
前記遊技盤(20)は、
遊技球の入球を契機として所定の遊技条件が成立する入球部(51)と、
前記遊技領域(22)を流下する遊技球が前記入球部(51)へ入球可能な流路を形成する第１案内手段(NL1〜NL3,33)と、
前記第１案内手段(NL1〜NL3,33)の下方に設けられ、前記遊技領域(22)を流下する遊技球を前記入球部(51)の下方へ誘導する流路を形成する第２案内手段(NL4)と、
前記第１案内手段(NL1〜NL3,33)に設けられて前記入球部(51)へ入球可能な流路から逸れる方向への遊技球の移動を許容する球通過部(Ta)とを備え、
前記入賞部材(60)は、
前記レール部材(25)から前記第１案内手段(NL1〜NL3,33)に向けて下方傾斜し、前記遊技領域(22)を流下する遊技球を第１案内手段(NL1〜NL3,33)へ案内する第１の球転動部(111)と、
前記レール部材(25)から前記第２案内手段(NL4)に向けて下方傾斜し、前記遊技領域(22)を流下する遊技球を第２案内手段(NL4)へ案内する第２の球転動部(112)とを備え、
前記装飾カバー(120)は、前記第１および第２の球転動部(111,112)の間に延在すると共に前記レール部材(25)および第１案内手段(NL1〜NL3,33)の間に延在するカバー部(121)を備え、前記球通過部(Ta)を通過した遊技球が当該カバー部(121)と遊技盤(20)の前面との間を通過し得るよう構成されたことを要旨とする。
このように、入球部へ向かう可能性が低下した遊技球が流下する経路を装飾カバーで覆うようにしたことで、入球部へ向かう可能性がある遊技球に対して遊技者の関心を集中させて遊技の興趣を高め得る。
【発明の効果】
【００１１】
本発明に係る遊技機によれば、入賞口に連通する複数の球樋部の間に延在するよう装飾カバーを設けて、当該装飾カバーの裏側に球通路を形成することで、遊技領域を流下する遊技球に対する関心を高めつつ装飾性を向上させることが可能となる。
【図面の簡単な説明】
【００１２】
【図１】本発明の好適な実施例に係るパチンコ機を、外枠に対して前枠を開放した状態で示す斜視図である。
【図２】実施例に係る遊技盤を示す正面図である。
【図３】実施例に係る遊技盤の分解斜視図であって、板状部材、球排出ユニットおよび設置部材の要部を示す。
【図４】実施例に係る遊技盤の要部を拡大した正面図である。
【図５】(a)は、球排出ユニットの要部を示す分解斜視図であり、(b)は球排出ユニットの要部を示す正面図である。
【図６】実施例に係る左側入賞ユニットの普通入賞部の形成位置で遊技盤を縦断した要部断面図である。
【図７】実施例に係る左側入賞ユニットを前側から示す分解斜視図である。
【図８】実施例に係る左側入賞ユニットを後側から示す分解斜視図である。
【図９】実施例に係る遊技盤を縦断した正面図であって、第１外縁領域の形成位置を拡大して示す。
【図１０】実施例に係る遊技盤を縦断した正面図であって、第２外縁領域の形成位置を拡大して示す。
【図１１】実施例に係るパチンコ機の制御構成を示すブロック図である。
【発明を実施するための形態】
【００１３】
次に、本発明に係る遊技機につき、好適な実施例を挙げて、添付図面を参照して以下に説明する。なお、実施例では、遊技球としてパチンコ球を用いて遊技を行うパチンコ機１０を例に挙げて説明する。また、以下の説明において、「前」、「後」、「左」、「右」とは、特に断りのない限り、図  に示すようにパチンコ機１０を前側(遊技者側)から見た状態で指称する。なお、図中の符号Ｂは，パチンコ球を示している。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定の特図当り判定条件(当り判定条件)の成立を契機として(後述する第１始動入賞部５１の第１始動入賞口５１ａまたは第２始動入賞部５２の第２始動入賞口５２ａへのパチンコ球の入賞を契機として)、演出用の図柄(以下演出図柄という)を変動表示させて図柄組合せ演出を行う演出表示手段としての図柄表示装置１７が着脱可能に配設されている。また、前記中枠１２の前面側には、前記遊技盤２０の遊技領域２２と対応する位置に前後に開口する窓口１３ａが形成された装飾枠としての前枠１３が開閉可能に組み付けられている。そして、前枠１３には、ガラス板や透明な合成樹脂材で形成された透視保護部材が窓口１３ａを覆うよう配設されており、遊技盤２０を前側から透視可能な状態で保護している。なお、図１では、透視保護部材を省略してある。また、前記前枠１３における窓口１３ａの下方位置には、パチンコ球を貯留可能な球受け皿１４が設けられており、当該前枠１３と一体的に球受け皿１４を開閉し得るようになっている。実施例の前枠１３には、上下の位置関係で２つの球受け皿１４が組み付けられており、図１に上側の球受け皿１４のみを図示してある。なお、前記上下の球受け皿１４の一方および両方を、前枠１３とは個別に中枠１２に組み付けるようにしてもよい。また、中枠１２や前枠１３に、１つの球受け皿１４のみを備える構成とすることもできる。なお、実施例では、前記図柄表示装置１７としては、液晶パネルを収容ケースに収容した液晶表示装置が採用されているがこれに限られるものではなく、ドラム式の図柄表示装置１７やドットマトリックス式の表示装置等の演出図柄を変動および停止表示可能な従来公知の各種の装置を採用し得る。
【００１５】
実施例のパチンコ機１０の前面右下部(実施例では前枠１３の前面右下部)には、図１に示すように、前記中枠１２に配設された打球発射装置１８を作動させる操作ハンドル１６が設けられる。この操作ハンドル１６は、左回転方向に付勢された操作レバー１６ａを備えており、該操作レバー１６ａを右回転するよう遊技者が回動操作することで打球発射装置１８が作動されて、前記上側の球受け皿１４に貯留されたパチンコ球が前記遊技盤２０に向けて発射されるようになっている。ここで、前記操作レバー１６ａの回動量に応じて前記打球発射装置１８によるパチンコ球の打球力が強弱変化するよう構成されており、遊技者が操作レバー１６ａの回動量を調節することで、前記遊技領域２２へのパチンコ球の打ち出し位置を任意に変更し得るようになっている。すなわち、遊技者が操作レバー１６ａを操作して回動量を調節することで、前記遊技盤２０に形成された第１の流下領域２２ａ(後述)にパチンコ球を流下させる所謂「左打ち遊技」と称される遊技形態、該遊技盤２０に形成された第２の流下領域２２ｂ(後述)にパチンコ球を流下させる所謂「右打ち遊技」と称される遊技形態とに切り替えて遊技を行い得るようになっている。
【００１６】
(遊技盤２０について)
実施例の前記遊技盤２０は、図２、図３に示すように、パチンコ球が流下可能な遊技領域２２が前面側に形成された板状部材(遊技領域形成部材)２１と、該板状部材２１の裏側に配設されて当該板状部材２１との間に収容空間８２を画成する設置部材(収容空間画成部材)８０とから構成されている。前記板状部材２１は、合成樹脂材やベニヤ材等から所定板厚の略矩形状に形成されており、前面(盤面)に配設された略円形状の案内レール２３によりパチンコ球が流下可能な遊技領域２２が画成されている。実施例の板状部材２１は、アクリル樹脂から形成された透明板であって、前記収容空間８２を板状部材２１の前面側から透視し得るようになっている。また、前記板状部材２１と設置部材８０との間の収容空間８２には、可動体の動作による演出や発光による演出を行う演出装置(図示せず)が設置されており、透明な板状部材２１を介して遊技盤２０の前面側から収容空間８２内に配設した演出装置を遊技者が目視し得るよう構成されている。また、収容空間８２には、前記板状部材２１に設けられた入賞部５１,５２,５３,５４,５５,５６に入賞したパチンコ球を排出する球排出ユニット９０が設置され、入賞したパチンコ球を遊技盤２０の外部に排出し得るよう構成されている。なお、前記図柄表示装置１７は、設置部材８０の裏側に取り付けられて、後述するように設置部材８０に設けた後側表示窓部８１(後述)および板状部材２１(枠状装飾部材４０)の前側表示窓部４１(後述)を介して遊技盤２０の前側から視認可能に臨むよう構成される。
【００１７】
前記案内レール２３は、図２に示すように、板状部材２１の左下部から右上部に至るよう左方向に膨出する円弧状に形成された外レール部材２４と、板状部材２１の右上部、右下部および左上部に至るよう右方向に膨出する円弧状に形成された内レール部材２５とから構成されている。前記内レール部材２５は、外レール部材２４の右上端部に連接して板状部材２１の右上部から下部に亘って配設され、左端縁が右方に凹む円弧状に形成された右側内レール部材２５ｂと、板状部材２１の下部から左上部に亘って配設されて右側内レール部材２５ｂの下端部に連接し、前記外レール部材２４の右方(内側)に離間して位置する左側内レール部材２５ａとから構成され、該外レール部材２４および左側内レール部材２５ａにより１個のパチンコ球が通過可能な発射通路２６が画成されている。ここで、前記内レール部材２５(左側内レール部材２５ａ)は、前記板状部材２１の左上部に開放端が臨むよう配置されて、外レール部材２４との間に遊技領域２２に開口する発射口２６ａを画成するよう構成され、前記打球発射装置１８から発射されたパチンコ球が発射通路２６の下方開口から飛翔して、当該発射口２６ａから遊技領域２２内に打ち出されるようになっている。
【００１８】
前記板状部材２１には、前後に貫通する装着口が前記遊技領域２２内の適宜位置に開設されて、各装着口に対して各種の遊技盤設置部品が配設されている。なお、実施例の遊技盤２０には、遊技盤設置部品として枠状装飾部材４０や各種入球部(始動入賞部５１,５２、特別入賞部５３,５４、普通入賞部５５,５６、ゲート部５７等)を設置する装着口が形成されている。なお、図６に左側入賞ユニット６０を設置する装着口２９のみ図示してある。そして、前記遊技盤２０の板状部材２１において遊技領域２２の最下部位置に、該遊技領域２２の最下部位置まで流下したパチンコ球を遊技盤２０の外部に排出するアウト口３０が開設されている。すなわち、前記打球発射装置１８から発射されて遊技領域２２を流下するパチンコ球が前記板状部材２１に設けられた入球部(始動入賞部５１,５２、特別入賞部５３,５４、普通入賞部５５,５６、ゲート部５７等)に入球(入賞)することにより、入球した入球部に応じた賞球の払い出しや図柄組合せ演出の実行等の所定の遊技が行われ、遊技領域２２の最下部まで流下したパチンコ球がアウト口３０を介して機外に排出されるよう構成される。なお、前記装着口は、板状部材２１に対して取り付けられる遊技盤設置部品の配設位置や配設数等に応じて適宜に形成される。
【００１９】
また、前記板状部材２１には、前記遊技領域２２内に多数の遊技釘３２が設けられると共に、後述する枠状装飾部材４０の左側方に、遊技領域２２を流下するパチンコ球の接触に伴って回転する回転案内部材３３が回転自在に支持されており、遊技釘３２や回転案内部材３３との接触によりパチンコ球の流下方向が不規則に変化するよう構成されている。前記回転案内部材３３は、回転中心から放射状に複数(実施例では３つ)の接触片３３ａを有する所謂「風車」とも称される部材であって、該接触片３３ａに対するパチンコ球の接触に伴って回転案内部材３３が回転することでパチンコ球を弾くように左右方向へ放出するようになっている。
【００２０】
実施例の前記板状部材２１には、図２に示すように、前記案内レール２３で囲まれた遊技領域２２の略中央の大部分が開口する装着口に、センター役とも称される装飾部材４０が取り付けられており、当該装飾部材４０に設けられた前側表示窓部(表示窓部)４１を介して前側から板状部材２１の後方を視認し得るよう構成されている。そして、前記装飾部材４０の前側表示窓部４１の後方に、前記図柄表示装置１７の表示部が臨む前記設置部材８０の後側表示窓部８１(後述)が位置するように構成されており、当該図柄表示装置１７の表示部を遊技盤２０の前側から目視し得るようになっている。ここで、実施例では、前記図柄表示装置１７の表示部が臨む前記装飾部材４０は、前後に開口する枠状に形成されて、当該装飾部材４０の開口部を透明パネル４２により部分的に塞ぐよう構成してある。このように、実施例では、装飾部材４０の開口部および透明パネル４２により前記前側表示窓部４１が形成されている。なお、以下の説明では、前側表示窓部４１が設けられた装飾部材を枠状装飾部材４０と指称するものとする。すなわち、前記枠状装飾部材４０の前側表示窓部４１の後方に前記図柄表示装置１７の表示部が位置するよう構成されている。なお、枠状装飾部材４０は、透明パネル４２により開口部を部分的に塞ぐ構成に限らず、当該開口部を全面的に透明パネル４２で覆うようにしてもよく、また透明パネル４２を省略して枠状装飾部材４０の開口部が板状部材２１の前後に開口する形態とすることも可能である。
【００２１】
(枠状装飾部材４０について)
次に、前記枠状装飾部材４０について詳細に説明する。前記枠状装飾部材４０は、図２に示すように、前記板状部材２１の前面より前方に突出し、前記遊技領域２２と表示装置の表示部を区切る庇状部４４と、該庇状部４４の後縁から外方に延出する薄板状の台板部４５とを備える。そして、前記台板部４５を板状部材２１の前面に当接した状態で、該台板部４５をネジ等の固定手段で板状部材２１に固定することで、枠状装飾部材４０が板状部材２１に取り付けられて、該枠状装飾部材４０の外側、具体的には庇状部４４と案内レール２３との間にパチンコ球が流下する遊技領域２２が画成されるようになっている。なお、枠状装飾部材４０を板状部材２１に取り付けた状態で、庇状部４４の後端縁から外方に延出する台板部４５が板状部材２１の前面に沿って延在して、該台板部４５の前側をパチンコ球が通過可能に構成される。
【００２２】
すなわち、遊技盤２０に画成された前記遊技領域２２は、前記枠状装飾部材４０の左側に形成された第１の流下領域２２ａと、当該枠状装飾部材４０の右側に形成された第２の流下領域２２ｂとに区画されており、操作ハンドル１６の操作レバー１６ａを回動操作して打球力を調節することにより、パチンコ球を第１の流下領域２２ａに流下させる遊技形態(左打ち)およびパチンコ球を第２の流下領域２２ｂに流下させる遊技形態(右打ち)の何れかを遊技者が任意に選択し得るようになっている。そして、前記遊技領域２２は、前記枠状装飾部材４０の下方位置において第１および第２の流下領域２２ａ,２２ｂが合流するようになっており、当該第１および第２の流下領域２２ａ,２２ｂが合流する合流領域に前記アウト口３０が形成されており、枠状装飾部材４０の左側および右側を流下したパチンコ球がアウト口３０まで流下し得るよう構成されている。
【００２３】
また、図２に示すように、前記枠状装飾部材４０の庇状部４４は、枠状装飾部材４０(台板部４５)の左側縁の略中間位置から上縁および右下縁に亘って連続して延在するよう設けられており、前記図柄表示装置１７における表示部の前面側を横切ってパチンコ球が流下(落下)するのを規制している。また庇状部４４は、最上部位置から左右方向に下方傾斜するよう形成されて、遊技領域２２に打ち出されたパチンコ球が庇状部４４上で滞ることなく枠状装飾部材４０の左側方(第１の流下領域２２ａ)または右側方(第２の流下領域２２ｂ)へ誘導案内されるよう形成されている。
【００２４】
ここで、前記枠状装飾部材４０は、図２に示すように、当該枠状装飾部材４０の上部から右側部の間で前記案内レール２３に近接するよう構成されている。すなわち、前記第２の流下領域２２ｂは、前記枠状装飾部材４０の上方位置で前記第１の流下領域２２ａに接続すると共にパチンコ球が一列で流下する通路幅に形成された整列流路ＲＡと、当該整列流路ＲＡの下端部に接続すると共に複数のパチンコ球が並列で流下可能な通路幅に形成された拡大流路ＲＢとに分けられて、当該拡大流路ＲＢに複数の入球部(実施例では第２始動入賞部５２、特別入賞部５３,５４、普通入賞部５５,５６、ゲート部５７等)が集約的に配置されるようになっている。
【００２５】
前記枠状装飾部材４０には、図２に示すように、前記前側表示窓部４１の下側(枠状装飾部材４０の内周下縁部)にステージ４６が配設されると共に、当該前側表示窓部４１の左側部(第１の流下領域２２ａ側の側部)を形成する庇状部４４に、前記遊技領域２２に開口すると共にステージ４６に連通する球導入部４７が設けられ、前記遊技領域２２(第１の流下領域２２ａ)を流下するパチンコ球を、当該球導入部４７の枠状装飾部材４０の内側(ステージ４６)に取り込み得るよう構成されている。そして、球導入部４７からステージ４６に取り込まれたパチンコ球は、ステージ４６の上面となる転動面を左右に転動した後に、前記第１始動入賞部５１の第１始動入賞口５１ａの上方で遊技領域２２に排出されるようになっている。すなわち、ステージ４６によりパチンコ球を第１始動入賞部５１の配設位置上方まで誘導することで、球導入部４７に取り込まれずに第１の流下領域２２ａを流下したパチンコ球が第１始動入賞部５１に入賞する確率よりも、球導入部４７に取り込まれたパチンコ球が第１始動入賞部５１に入賞する確率のほうが高くなるようにしている。また、前記ステージ４６の後端部には、当該ステージ４６の左右方向の全長に亘って転動面から上側に向けて所定高さで立上がる仕切壁４８が設けられ、ステージ４６上を転動するパチンコ球が図柄表示装置１７の表示部側に移動するのを該仕切壁４８で防止している。また、透明壁の上端縁に、前記前枠１３における透視保護部材の裏面に近接する位置(透視保護部材との間をパチンコ球が通過できない隙間となる位置)まで張り出す張出部４８ａが設けられ、遊技釘３２に接触して跳ねたパチンコ球が表示部側に移動するのを該張出部４８ａで防止している。
【００２６】
(入球部について) 
図２に示すように、前記遊技盤２０には、パチンコ球が入賞可能な複数の入球部が前記遊技領域２２内に配設されており、パチンコ球が入球した入球部に応じた制御が実行されることで所定の遊技を行い得るようになっている。具体的に、実施例のパチンコ機１０では、前記第１の流下領域２２ａに位置するよう前記入球部としての第１始動入賞部５１が配置されると共に、前記第２の流下領域２２ｂに位置するよう前記入球部としての第２始動入賞部５２、第１および第２特別入賞部５３,５４、ゲート部５７が配置されている。ここで、枠状装飾部材４０の形状や遊技釘３２の配置等により、前記第２の流下領域２２ｂを流下したパチンコ球が第１始動入賞部５１に略入賞し得ないよう構成されると共に、前記第１の流下領域２２ａを流下したパチンコ球が第２始動入賞部５２や第１および第２特別入賞部５３,５４、ゲート部５７に略入賞し得ないよう構成されている。すなわち、実施例に係るパチンコ機１０では、前記第１の流下領域２２ａをパチンコ球が流下する場合(左打ち遊技の場合)に、パチンコ球が第２の流下領域２２ｂを流下する場合に較べて第１始動入賞部５１の第１始動入賞口５１ａにパチンコ球が入賞する可能性が高くなるよう構成されると共に、該第２の流下領域２２ｂをパチンコ球が流下する場合(右打ち遊技の場合)に、パチンコ球が第１の流下領域２２ａを流下する場合に較べて第２始動入賞部５２の第２始動入賞口５２ａや第１および第２特別入賞部５３,５４の特別入賞口５３ａ,５４ａ、ゲート部５７の普図始動口５７ａへパチンコ球が入賞する可能性が高くなるよう構成されている。従って、操作レバー１６ａの回動操作により左打ち遊技および右打ち遊技に遊技者が能動的に切り替えることで、パチンコ球が入賞可能な入賞部を切り替え得るようになっている。なお、実施例の遊技盤２０には、前記第１および第２の流下領域２２ａ,２２ｂの夫々に位置するよう入球部としての普通入賞部５５,５６が配置されており、第１および第２の流下領域２２ａ,２２ｂを流下させたパチンコ球を普通入賞部５５,５６に入賞させ得るようになっている。
【００２７】
(第１始動入賞部５１について)
前記第１始動入賞部５１は、図２に示すように、前記枠状装飾部材４０の下方位置(アウト口３０の直上位置)に、パチンコ球が入賞(入球)可能な第１始動入賞口(始動口)５１ａが上方に常時開口するよう設けられており、前記第１の流下領域２２ａを流下するパチンコ球が一定の確率で第１始動入賞口５１ａに入賞し得るようになっている。また、前記第１始動入賞部５１は、第１始動入賞口５１ａに入賞したパチンコ球の排出経路に、パチンコ球を検出する検出手段としての第１始動入賞検出センサＳＥ１が配設されている。なお、実施例では、後述する球排出ユニット９０に前記第１始動入賞口５１ａに入賞したパチンコ球の排出経路(始動口排出通路９８)が設けられている(図３参照)。第１始動入賞検出センサＳＥ１は、前記設置部材８０の裏面に配設されたメイン制御基板３０１に配線接続されており(図１１参照)、該第１始動入賞検出センサＳＥ１からの球検出信号がメイン制御基板３０１のメイン制御ＣＰＵ３０１ａ(メイン制御手段)に入力されることを判定条件としてメイン制御基板３０１のメイン制御ＣＰＵ３０１ａが特別遊技(大当り遊技や小当り遊技)を生起させるか否かに関する特図当り判定(当り判定)を行うと共に、当該球検出信号の入力を賞球の払出条件として、該メイン制御ＣＰＵ３０１ａが所定数(例えば３個)の賞球の払い出しを決定し、当該決定に基づいてメイン制御基板３０１から払出制御基板(図示せず)に対して払出制御信号が出力されるようになっている。
【００２８】
(第２始動入賞部５２について)
前記第２始動入賞部５２は、第２の流下領域２２ｂ内で開口する第２始動入賞口５２ａを開閉部材５２ｂの作動に伴い開閉するよう構成されており、駆動手段としての始動入賞ソレノイドＳＬ１(図１１参照)の駆動に伴って開閉部材５２ｂが第２始動入賞口５２ａを閉鎖する閉鎖位置と開放する開放位置に変位するよう構成されている。すなわち、第２始動入賞口５２ａは、始動入賞ソレノイドＳＬ１を駆動することでパチンコ球の入賞確率を可変し得るよう構成される。なお、実施例における第２始動入賞部５２は、前後に開口するよう形成された第２始動入賞口５２ａを介して前記板状部材２１の内部から遊技領域２２(第２の流下領域２２ｂ)に出没するよう開閉部材５２ｂが前後移動可能に構成されており、前記閉鎖位置において開閉部材５２ｂが第２始動入賞口５２ａを介して板状部材２１の内部(後方)に退避してパチンコ球が入賞不能に第２始動入賞口５２ａを塞ぐと共に、前記開放位置において開閉部材５２ｂが第２始動入賞口５２ａを介して遊技領域２２(第２の流下領域２２ｂ)に突出してパチンコ球が入賞可能に第２始動入賞口５２ａを開放するよう構成されている。そして、前記開放位置において、開閉部材５２ｂに受け止められたパチンコ球が前記第２始動入賞口５２ａに誘導されて入賞するようになっている。
【００２９】
また、前記第２始動入賞部５２は、前記第２始動入賞口５２ａに入賞したパチンコ球の排出経路(図示せず)に、パチンコ球を検出する検出手段としての第２始動入賞検出センサＳＥ２を備えている。第２始動入賞検出センサＳＥ２は、前記メイン制御基板３０１に配線接続されており(図１１参照)、該第２始動入賞検出センサＳＥ２からの球検出信号がメイン制御基板３０１のメイン制御ＣＰＵ３０１ａに入力されることを判定条件としてメイン制御基板３０１のメイン制御ＣＰＵ３０１ａが特図当り判定(当り判定)を行うと共に、当該球検出信号の入力を賞球の払出条件として、該メイン制御ＣＰＵ３０１ａが(例えば３個)賞球の払い出しを決定し、当該決定に基づいてメイン制御基板３０１から払出制御基板に対して払出制御信号が出力されるようになっている。
【００３０】
ここで、実施例のパチンコ機１０では、第１および第２始動入賞検出センサＳＥ１,ＳＥ２によるパチンコ球の検出(第１または第２始動入賞口５１ａ,５２ａへのパチンコ球の入賞)に伴って各種情報(乱数)が取得され、この取得した情報に基づいて特図当り遊技を生起させるか否かに関する当り判定が行われるよう構成されている。そして、特図当り判定の結果に基づいて前記図柄表示装置１７において図柄組合せ演出が実行され、特図当り判定の判定結果が肯定判定の場合に、該図柄表示装置１７での図柄組合せ演出の結果、該図柄表示装置１７の表示部に所定の当り表示となる組合せ(例えば同一演出図柄の３つ揃い等)で演出図柄が確定停止表示されることで、遊技者に有利な特別遊技(大当り遊技や小当り遊技等の特別遊技)が付与されるようになっている。そして、特図当り遊技の発生に伴って第１特別入賞部５３や第２特別入賞部５４の開閉部材５３ｂ,５４ｂ(後述)が作動変位されて、特別入賞口５３ａ,５４ａへのパチンコ球の入賞に伴い遊技者が賞球を獲得し得る機会が与えられるよう構成されている。ここで、前記メイン制御基板３０１には、前記図柄表示装置１７を制御する演出制御基板３０２が配線接続されており、当該メイン制御基板３０１から入力される制御信号に基づいて演出制御基板３０２が図柄表示装置１７を制御することで所定の図柄組合せ演出が実行されるようになっている。なお、実施例では、前記演出制御基板３０２を基板ケースに収容した演出制御装置が図柄表示装置１７の後面に着脱可能に取り付けられている。
【００３１】
(第１および第２特別入賞部５３,５４について)
図２に示すように、前記第１特別入賞部５３は、第２の流下領域２２ｂ内で開口する第１特別入賞口５３ａを開閉部材５３ｂの作動に伴い開閉するよう構成されると共に、前記第２特別入賞部５４は、第２の流下領域２２ｂ内で開口する第２特別入賞口５４ａを開閉部材５４ｂの作動に伴い開閉するよう構成されている。なお、実施例では、前記枠状装飾部材４０の右下部位置に前記第１特別入賞部５３が設けられ、前記第１始動入賞部５１の右側方に前記第２特別入賞部５４が設けられている。ここで、前記第１特別入賞部５３の開閉部材５３ｂには駆動手段としての第１特別入賞ソレノイドＳＬ２(図１１参照)が連繋接続されると共に、第２特別入賞部５４の開閉部材５４ｂには駆動手段としての第２特別入賞ソレノイドＳＬ３が連繋接続されており、当該ソレノイドＳＬ２,ＳＬ３を駆動することで対応する特別入賞口５３ａ,５４ａへパチンコ球が入賞可能な開放位置と、入賞が不能な閉鎖位置とに切り替えられるようになっている。
【００３２】
また、前記第１特別入賞部５３は、前記第１特別入賞口５３ａに入賞したパチンコ球を通過させる排出経路(図示せず)に、当該通路を通過するパチンコ球を検出する入賞検出手段としての第１特別入賞検出センサＳＥ３を備えると共に、前記第２特別入賞部５４は、前記第２特別入賞口５４ａに入賞したパチンコ球を通過させる排出経路(図示せず)に、当該通路を通過するパチンコ球を検出する入賞検出手段としての第２特別入賞検出センサＳＥ４を備えている。前記第１および第２特別入賞検出センサＳＥ３,ＳＥ４は、パチンコ機１０の裏側に配設された制御手段としてのメイン制御基板３０１に配線接続されている。そして、特別入賞検出センサＳＥ３からの検出信号がメイン制御基板３０１のメイン制御ＣＰＵ３０１ａに入力されることを賞球の払出条件として、該メイン制御ＣＰＵ３０１ａが所定数(例えば１５個)の賞球の払い出しを決定するようになっている。また、前記第１および第２特別入賞ソレノイドＳＬ２,ＳＬ３は、前記第１始動入賞部５１または第２始動入賞部５２へのパチンコ球の入賞を契機として第１および第２特別入賞部５３,５４を開放する特別遊技が付与される場合に、特別遊技の種類に応じた所定の開閉条件に従って第１および第２特別入賞部５３,５４の開閉部材５３ｂ,５４ｂの何れかを作動させるようメイン制御基板３０１によって駆動制御される。
【００３３】
(普通入賞部５５,５６について)
図２に示すように、前記普通入賞部５５,５６は、前記遊技領域２２の左右下部位置において、パチンコ球が入賞(入球)可能な普通入賞口５５ａ,５６ａが上方に常時開口するよう前記遊技盤２０に設けられており、第１の流下領域２２ａを流下するパチンコ球および第２の流下領域２２ｂを流下するパチンコ球の夫々が一定の確率で普通入賞口５５ａ,５６ａに入賞し得るようになっている。実施例では、遊技盤２０の左下部位置に配設された左側の入賞ユニット６０に３つの普通入賞部５５が設けられ、遊技盤２０の右下部位置に配設された右側の入賞ユニット６１に１つの普通入賞部５６が設けられている。ここで、前記右側の入賞ユニット６１には、前記第２始動入賞部５２および第２特別入賞部５４が備えられており、第２始動入賞部５２、第２特別入賞部５４および普通入賞部５６を備えた複合ユニットとして構成されている。また、前記左側入賞ユニット６０の各普通入賞部５５は、各普通入賞口５５ａに入賞したパチンコ球を合流して通過させる通路途中(後述する球排出ユニット９０の排出通路の途中)に、当該通路を通過するパチンコ球を検出する入賞検出手段としての普通入賞検出センサＳＥ５(図１１参照)を備えると共に、前記右側入賞ユニット６１の普通入賞部５６は、普通入賞口５６ａに入賞したパチンコ球を通過させる通路途中に、当該通路を通過するパチンコ球を検出する入賞検出手段としての普通入賞検出センサＳＥ６(図１１参照)を備えている。前記普通入賞検出センサＳＥ５,ＳＥ６は、パチンコ機１０の裏側に配設された制御手段としてのメイン制御基板３０１に配線接続されている。そして、普通入賞検出センサＳＥ５,ＳＥ６からの検出信号がメイン制御基板３０１のメイン制御ＣＰＵ３０１ａに入力されることを賞球の払出条件として、該メイン制御ＣＰＵ３０１ａが所定数(例えば１０個)の賞球の払い出しを決定するようになっている。
【００３４】
(ゲート部５７について)
前記ゲート部５７は、図２に示すように、上下に貫通するよう普図始動口５７ａが形成されており、第２の流下領域２２ｂを流下するパチンコ球がゲート部５７の上方から下方へ通過し得るようになっている。また、ゲート部５７には、当該ゲート部５７(通過口)を通過するパチンコ球を検出するゲートセンサＳＥ７が設けられている。このゲートセンサＳＥ７は、前記メイン制御基板３０１(図１１参照)に配線接続されているに配線接続されており、該ゲートセンサＳＥ７からメイン制御基板３０１への球検出信号の入力(すなわちパチンコ球の検出)に伴って普図当り判定条件(第２の当り判定条件)が成立するようになっている。そして、普図当り判定条件の成立に伴って普図当り遊技を生起させるか否かに関する普図当り判定が行われ、該普図当り判定の結果に応じて前記第２始動入賞部５２の始動入賞ソレノイドＳＬ１が駆動制御されて、当該開閉部材５２ｂが開閉動作するようになっている。すなわち、実施例のパチンコ機１０は、ゲートセンサＳＥ７によるパチンコ球の検出を契機として行われる普図当り判定の判定結果が当りの判定である場合に、前記第２始動入賞部５２の第２始動入賞口５２ａを所定の開放条件で開放する普図当り遊技が行われて、当該第２始動入賞口５２ａへパチンコ球を入賞させ得る機会が与えられるようになっている。
【００３５】
(上部誘導連釘ＮＬ１,ＮＬ２)
ここで、前記遊技盤２０には、図２、図４、図９、図１０に示すように、前記枠状装飾部材４０の左側方位置(第１の流下領域２２ａ)に、前記回転案内部材３３へ向けて下方傾斜するよう連続して遊技釘３２が設けられており、当該第１の流下領域２２ａを流下するパチンコ球を回転案内部材３３へ誘導し得るようになっている。具体的には、前記枠状装飾部材４０(庇状部４４)の左側部に、パチンコ球が通過可能な間隔で左右方向に離間すると共に前記回転案内部材３３の上部に向けて上下方向に連続した複数列(実施例では２列)の遊技釘３２が設けられている。なお、以下の説明では、前記回転案内部材３３の上部に向けて連続した２列の遊技釘群を上部誘導連釘ＮＬ１,ＮＬ２と指称すると共に、当該上部誘導連釘ＮＬ１,ＮＬ２において、前記枠状装飾部材４０(庇状部４４)の左側部に隣接して上下方向に連続する遊技釘群を第１上部誘導連釘ＮＬ１と指称し、当該第１上部誘導連釘ＮＬ１から左方向に離間する遊技釘群(左側内レール部材２５ａに近接した遊技釘群)を第２上部誘導連釘ＮＬ２と指称する場合がある。すなわち、第１の流下領域２２ａを流下するパチンコ球は、前記第１上部誘導連釘ＮＬ１および第２上部誘導連釘ＮＬ２の間を通って回転案内部材３３に誘導されるようになっている。なお、前記第１上部誘導連釘ＮＬ１は、前記枠状装飾部材４０に設けられた前記球導入部４７の球入口に対応した位置で、パチンコ球が通過可能な間隔で左右に開口する間隙Ｔが形成されるよう遊技釘３２が配置されており、当該第１上部誘導連釘ＮＬ１の間隙Ｔを通過したパチンコ球が球導入部４７に取り込まれてステージ４６に誘導されるようになっている。
【００３６】
また、図４、図９に示すように、前記第２上部誘導連釘ＮＬ２は、前記案内レール２３(左側内レール部材２５ａ)から回転案内部材３３の上部に向けて近接するよう湾曲した曲線状に連続するよう遊技釘３２が配置されている。すなわち、前記第１の流下領域２２ａを左側内レール部材２５ａ側に流下したパチン球が、第２上部誘導連釘ＮＬ２により回転案内部材３３に向けて誘導されるようになっている。なお、前記前記回転案内部材３３に近づく(下端部に近づく)につれて前記第１上部誘導連釘ＮＬ１および第２上部誘導連釘ＮＬ２の間隔が徐々に狭くなるよう構成されている。そして、前記前記第１上部誘導連釘ＮＬ１および第２上部誘導連釘ＮＬ２の間に形成される流路の出口は、前記回転案内部材３３の回転中心に対して第１始動入賞部５１側(後述する上側案内連釘ＮＬ３の形成側)に偏った位置で開口するよう構成されている。すなわち、第１および第２上部誘導連釘ＮＬ１,ＮＬ２の間の流路を通過したパチンコ球は、案内レール２３側(左側)よりも回転案内部材３３の回転に伴って第１始動入賞部５１側(上側案内連釘ＮＬ３側)に放出される確率が高くなるよう構成されている。ここで、前記第２上部誘導連釘ＮＬ２の上端に位置する遊技釘３２は、前記案内レール２３(左側内レール部材２５ａ)から所定間隔離間する位置に設けられており、当該第２上部誘導連釘ＮＬ２の上端に位置する遊技釘３２と案内レール２３(左側内レール部材２５ａ)との間に前記左側入賞ユニット６０の上部(後述する第１の球転動部１１１)が位置するよう構成されている。また、前記第２上部誘導連釘ＮＬ２は、パチンコ球が通過可能な間隔で上下に開口する間隙(以下上部間隙Ｔａと指称する)が上端側に形成されるよう遊技釘３２が配置されており、当該第２上部誘導連釘ＮＬ２の上部間隙Ｔａを通過したパチンコ球が後述する第１外縁領域ＯＡ１に流下するようになっている。
【００３７】
(上下の案内連釘について)
また、図４、図１０に示すように、前記遊技盤２０における第１の流下領域２２ａには、前記枠状装飾部材４０の左下方位置に、前記遊技盤２０の左右の中央位置へ向けて下方傾斜する直線状に連続した遊技釘３２が上下に離間して複数列設けられている。
具体的には、遊技盤２０の第１の流下領域２２ａには、前記回転案内部材３３から第１始動入賞部５１の第１始動入賞口５１ａへ向けて下方傾斜する直線状に複数の遊技釘３２が連続して設けられており、当該第１の流下領域２２ａを流下するパチンコ球を第１始動入賞部５１へ誘導し得るようになっている。更に、前記遊技盤２０における第１の流下領域２２ａには、前記第１始動入賞部５１の第１始動入賞口５１ａへ向けて直線状に下方傾斜する遊技釘群の下方位置に、当該第１始動入賞部５１の下方へ向けて下方傾斜する直線状に複数の遊技釘３２が連続して設けられており、当該第１始動入賞部５１の下方へ向けて下方傾斜するよう配置された遊技釘群により形成される直線の下方に、前記左側入賞ユニット６０に設けられた普通入賞部５５が位置するよう構成されている。ここで、以下の説明では、第１始動入賞部５１の第１始動入賞口５１ａへ向けて下方傾斜する直線状に連続した遊技釘群を上側案内連釘ＮＬ３と指称し、第２特図始動口へ向けて下方傾斜する直線状に連続した遊技釘群を下側案内連釘ＮＬ４と指称する場合がある。
【００３８】
また、図４、図１０に示すように、前記上側案内連釘ＮＬ３および下側案内連釘ＮＬ４の夫々を構成する遊技釘群は、パチンコ球が通過可能な間隔で上下に開口する間隙Ｔ,Ｔｂ１,Ｔｂ２が適宜位置に形成されるよう遊技釘３２が配置されている。すなわち、前記上側案内連釘ＮＬ３および下側案内連釘ＮＬ４に設けられた間隙Ｔ,Ｔｂ１,Ｔｂ２を介して、当該上側案内連釘ＮＬ３から下側案内連釘ＮＬ４へパチンコ球が移動するのを許容すると共に、下側案内連釘ＮＬ４から左側入賞ユニット６０側へパチンコ球が移動するのを許容するようになっている。このように、間隙Ｔを通過することなく前記上側案内連釘ＮＬ３上をパチンコ球が流下(転動)することで、当該パチンコ球が前記第１始動入賞部５１の第１始動入賞口５１ａに入賞し得るようになっている。そして、前記下側案内連釘ＮＬ４に沿うように当該下側案内連釘ＮＬ４上を流下(転動)する過程で間隙Ｔをパチンコ球が通過することで、当該パチンコ球が前記左側入賞ユニット６０に設けられた普通入賞部５５の普通入賞口５５ａに入賞し得るようになっている。なお、下側案内連釘ＮＬ４には２つの間隙が設けられており、左側の間隙を第１落下口Ｔｂ１と指称し、右側の間隙Ｔを第２落下口Ｔｂ２と指称して区別する場合がある。
【００３９】
すなわち、実施例のパチンコ機１０では、前記遊技領域２２(第１の流下領域２２ａ)を流下するパチンコ球が前記第１始動入賞部５１へ入賞可能な流路を形成する第１案内手段として、前記第１および第２上部誘導連釘ＮＬ１,ＮＬ２、回転案内部材３３および上側案内連釘ＮＬ３が前記遊技盤２０に設けられている。そして、前記遊技領域２２(第１の流下領域２２ａ)を流下するパチンコ球を前記第１始動入賞部５１の下方へ誘導する流路を形成する第２案内手段として、前記下側案内連釘ＮＬ４が前記第１案内手段としての上側案内連釘ＮＬ３の下方に位置するよう前記遊技盤２０に設けられている。なお、以下の説明では、前記第１上部誘導釘ＮＬ１、第２上部誘導連釘ＮＬ２、回転案内部材３３および上側案内連釘ＮＬ３により形成されて第１始動入賞部５１へ入賞可能なパチンコ球の流路を始動入賞流路と指称し、前記下側案内連釘ＮＬ４により形成されて普通入賞部５５に入賞可能なパチンコ球の流路を普通入賞流路と指称して区別する場合がある。
【００４０】
また、前記遊技領域２２(第１の流下領域２２ａ)において、前記第１および第２上部誘導連釘ＮＬ１,ＮＬ２の間の流路を通過する過程で第２上部誘導連釘ＮＬ２の上部間隙(球通過部)Ｔａを通過するか、前記回転案内部材３３により左方向へ放出されたパチンコ球が流下する領域(すなわち第２上部誘導連釘ＮＬ２および回転案内部材３３の左側の領域)を第１外縁領域ＯＡ１と指称し、前記下側案内連釘ＮＬ４により誘導される過程で第１落下口Ｔｂ１または第２落下口Ｔｂ２を通過したパチンコ球が流下する領域(すなわち下側案内連釘ＮＬ４の下側の領域)を第２外縁領域ＯＡ２と指称する場合がある。すなわち、第１外縁領域ＯＡ１は、前記始動入賞流路から外れたパチンコ球が流下する領域であり、第２外縁領域ＯＡ２は、前記普通入賞流路から外れたパチンコ球が流下する領域である。ここで、前記遊技盤２０には、前記落下口(具体的には第２落下口Ｔｂ２)の上方位置に遊技釘３２が配置されており、普通入賞流路を通過する過程で接触したパチンコ球を落下口(第２落下口Ｔｂ２)へ向けて付勢するようになっている。
【００４１】
(設置部材８０について)
前記設置部材８０は、前記板状部材２１の外郭形状より僅かに小さな形状に形成された略矩形状の背面板８０ａと、該背面板８０ａの外周縁部から前方に突出する外周壁部８０ｂとから前方に開口した箱状に形成されて(図３参照)、該外周壁部８０ｂの開口前端部を板状部材２１の裏面に当接させた状態で、当該板状部材２１と設置部材８０とがネジにより固定される。そして、前記設置部材８０において前記板状部材２１との間に画成される前記収容空間８２に、動作により演出を行う可動演出装置や発光により演出を行う発光演出装置等の各種演出装置(図示せず)や、入賞部に入賞したパチンコ球を排出する球排出ユニット９０が設置されて、設置部材８０を基材とする１つのユニットとして扱い得るようになっている。なお、図３には、前記第１始動入賞部５１および左側入賞ユニット６０の普通入賞部５５に入賞したパチンコ球を排出する排出通路が形成された球排出ユニット９０を図示し、その他の入賞部(第２始動入賞部５２、第１および第２特別入賞部５３,５４、右側の普通入賞部５６)に入賞したパチンコ球を排出する排出通路が形成された球排出ユニットや可動演出装置等の各種演出装置の図示を省略してある。
【００４２】
また、前記設置部材８０の背面板８０ａには、前記板状部材２１(枠状装飾部材４０)の前側表示窓部４１と前後に整列する位置に、背面板８０ａの裏側を視認可能にする後側表示窓部８１が形成されている。そして、前記設置部材８０における背面板８０ａの裏側に、前記後側表示窓部８１に表示部が臨むよう前記図柄表示装置１７が着脱自在に取り付けられて、前後の表示窓部４１,８１を介して図柄表示装置１７の表示部を遊技盤２０の前側から視認し得るよう構成されている。なお、実施例では、前記設置部材８０の背面板８０ａに、前後に開口する略矩形状の開口部を開設して前記後側表示窓部８１を形成している。
【００４３】
(球排出ユニット９０について)
ここで、前左側入賞ユニット６０の普通入賞部５５に入賞したパチンコ球を排出する前記球排出ユニット９０について説明する。前記球排出ユニット９０は、図３、図５に示すように、１個のパチンコ球が通過可能な通路幅で前方へ開口する複数の球通路部９２,９３,９４が形成されたユニット本体９１と、当該ユニット本体９１の前側に配設されて球通路部９２,９３,９４の前方開口を塞ぐ前カバー部材９５とを備えている。すなわち、球通路部９２,９３,９４の前方開口を前カバー部材９５で塞ぐことで、パチンコ球を排出する排出通路を形成している。前記ユニット本体９１には、前記設置部材８０の下面を形成する外周壁部８０ｂに上下に開口するよう形成された球排出口８０ｃに連通するよう形成されて上方へ延在する共通球通路部９２と、該共通球通路部９２の上端部に接続するよう形成されて左右方向に延在すると共に共通球通路部９２へ向けて下方傾斜する傾斜球通路部９３と、当該傾斜球通路部９３に接続すると共に上方へ延在する複数の縦球通路部９４とが形成されている。なお、前記傾斜球通路部９３は、前記共通球通路部９２から左方向へ延在するよう形成されて、当該傾斜球通路部９３の傾斜下端部に共通球通路部９２が接続するよう構成されている。
【００４４】
ここで、前記縦球通路部９４は、前記傾斜球通路部９３の延在方向に離間するよう当該傾斜球通路部９３の傾斜上端部、傾斜下端部および中間位置の３箇所に接続するよう夫々設けられている。また、前記ユニット本体９１に対して前カバー部材９５を組み付けた際に、各縦球通路部９４の上端部を除く通路部の前方開口の全体が当該前カバー部材９５で塞がれることで、各縦球通路部９４の上端部に球入口９０ａが前方へ開口した状態でパチンコ球が通過可能な排出通路を形成するようになっている。そして、各縦球通路部９４の上端部に、左側入賞ユニット６０に設けられた普通入賞部５５を構成する球樋部(後述する後側球樋部１０５)の後端部が１つずつ連通するようになっている。すなわち、前記左側入賞ユニット６０に設けられた普通入賞部５５の普通入賞口５５ａに入賞したパチンコ球は、前記球排出ユニット９０に形成された対応する各縦球通路部９４の上端部を介して排出通路に流入して球排出口８０ｃへ案内されるようになっている。なお、前記球排出口８０ｃが前記中枠１２に設けられた球回収部(図示せず)に接続するよう構成されて、該球排出口８０ｃから排出されたパチンコ球が球回収部を介してパチンコ機１０の外部(遊技店側の球循環設備)へ回収するようになっている。
【００４５】
また、前記共通球通路部９２には、図５に示すように、前記傾斜球通路部９３との接続部位より下方位置に、該共通球通路部９２を通過するパチンコ球を検出する普通入賞検出センサＳＥ５を着脱可能なセンサ取付部９２ａが設けられている。すなわち、前記共通球通路部９２のセンサ取付部９２ａに取り付けられた普通入賞検出センサＳＥ５がパチンコ球を検出することで、前記左側入賞ユニット６０の普通入賞部５５に入賞したパチンコ球を検出し得るようになっている。また、傾斜球通路部９３の傾斜上端部および中間位置に連通する縦球通路部９４の夫々には、各縦球通路部９４を通過するパチンコ球を検出する検査用球検出センサ(図示せず)を着脱可能な検査用センサ取付部９４ａが設けられている。すなわち、パチンコ機１０の検査時等に検査用センサ取付部９４ａに検査用球検出センサを取り付けることで、左側入賞ユニット６０に設けられた普通入賞部５５毎に入賞したパチンコ球の数を個別に確認し得るようになっている。
【００４６】
また、前記球排出ユニット９０には、図５、図６に示すように、前記ユニット本体９１の後面側に、前方へ向けて光を照射するＬＥＤ９６ａ(発光体)が実装された発光体基板９６が配設されている。すなわち、前記ユニット本体９１および前カバー部材９５の夫々は、光透過性の合成樹脂材等により形成されており、前記発光体基板９６のＬＥＤ９６ａを発光させた際に、当該ユニット本体９１や前カバー部材９５を透過した光が前記板状部材２１や装着口２９を透過して前記左側入賞ユニット６０の台板部１０２(後述)に照射されるようになっている。ここで、前記発光体基板９６には、前記球排出ユニット９０の球入口９０ａの後方位置にＬＥＤ９６ａが位置するよう実装されている。そして、前記球入口に臨むＬＥＤ９６ａを発光させることで、前記左側入賞ユニット６０に設けられた普通入賞部５５が後方から照明されるようになっている。すなわち、後述するように、実施例に係る左側入賞ユニット６０は、各普通入賞部５５の形成位置が目立たないよう構成されていることから、前記ＬＥＤ９６ａを発光させて板状部材２１の後方から各普通入賞部５５に光を照射することで、普通入賞部５５の形成位置を示唆して遊技者の注意を惹き付け得るようになっている。また、前記発光体基板９６には、前記傾斜球通路部９３の後方位置に複数のＬＥＤ９６ａが位置するよう実装されており、当該ＬＥＤ９６ａを発光することで、普通入賞口５５ａに入賞したパチンコ球の排出通路を後方から照明し得るようになっている
【００４７】
(左側入賞ユニット６０)
次に、前記普通入賞部５５が設けられた左側入賞ユニット６０について説明する。図３、図４，図７、図８に示すように、前記左側入賞ユニット６０は、前記遊技盤２０(板状部材２１)の前面に当接させた状態で固定される台板部１０２と、当該台板部１０２の前面に対してパチンコ球が通過可能な間隔で離間するよう設けられて左側入賞ユニット６０の前面を装飾する装飾カバー１２０と、パチンコ球が通過可能な間隔で離間する位置で台板部１０２および装飾カバー１２０を接続する支持壁部１１１,１１２,１１３,１１７とを備え、当該台板部１０２および装飾カバー１２０の間に位置するよう前記普通入賞部５５が設けられている。具体的に、実施例の左側入賞ユニット６０は、前記台板部１０２を有する取付部材１０１と、前記支持壁部１１１,１１２,１１３,１１７および装飾カバー１２０を有する前側部材１１０とから構成されて、当該取付部材１０１と前側部材１１０とを固定することで左側入賞ユニット６０が形成されている。
【００４８】
また、前記左側入賞ユニット６０は、前記板状部材２１における前記第２上部誘導連釘ＮＬ２、回転案内部材３３および下側案内連釘ＮＬ４の配設位置よりも内レール部材２５(左側内レール部材２５ａ)側に位置するよう設けられており、遊技領域２２(第１の流下領域２２ａ)を流下する過程で、第２上部誘導連釘ＮＬ２の上部間隙Ｔａや下側案内連釘ＮＬ４の第１および第２落下口Ｔｂ１,Ｔｂ２を通過したパチンコ球が左側入賞ユニット６０の配設位置に移動すると共に、同様に回転案内部材３３により左方向に放出されたパチンコ球が左側入賞ユニット６０の配設位置に移動し得るよう構成されている。すなわち、前記左側入賞ユニット６０は、前記第１外縁領域ＯＡ１および第２外縁領域ＯＡ２に跨がるように配設されて、前記案内レール２３における内レール部材２５(左側内レール部材２５ａ)の遊技領域２２側の曲面に沿った湾曲状に形成されている。なお、前記装飾カバー１２０は、前記台板部１０２の前面略全体を覆う大きさおよび形状に形成されている。
【００４９】
ここで、前記取付部材１０１は、光透過性の合成樹脂材により前記台板部１０２および取付支持部１０４の夫々が一体的に形成されており、前記球排出ユニット９０に設けられた発光体基板９６のＬＥＤ９６ａの光が当該台板部１０２を透過するよう構成されている。更に、前記台板部１０２には、前面または後面にダイヤカット等の凹凸状の光拡散加工を施したり、光拡散シート等を貼付することにより光拡散処理がなされた光拡散部１０３が設けられており、前記球排出ユニット９０に配設された発光体基板９６のＬＥＤ９６ａの光を光拡散部１０３で広範囲に拡散して透過させるようになっている。なお、実施例では、前記台板部１０２の前面略全体に凹凸状の光拡散加工を施すことで光拡散部１０３を形成してある(図７参照)。
【００５０】
また、前記前側部材１１０は、光透過性の合成樹脂材により前記支持壁部１１１,１１２,１１３,１１７および装飾カバー１２０の夫々が一体的に形成されて、前記台板部１０２を透過した光が前側部材１１０に照射されるようになっており、当該前側部材１１０(装飾カバー１２０)を透過した光が遊技盤２０の前面に照射されるよう構成されている。ここで、前記装飾カバー１２０には、着色やメッキ処理等により、光を透過する光透過部と、光が透過しない非光透過部１２０ａとが設けられている。具体的には、前記普通入賞部５５の形成位置を含む位置に前記非光透過部１２０ａが形成されて、当該非光透過部によりパチンコ機１０のモチーフ等に合わせた適宜の装飾模様を形成している。ここで、前記非光透過部１２０ａは、左側入賞ユニット６０に設けられた複数(実施例では３つ)の普通入賞部５５の前側を連続して覆う装飾形状に形成されており、１つ１つの普通入賞部５５の存在を目立たないように構成されている。
【００５１】
すなわち、普通入賞部５５の存在を示唆する表示と無関係の前記非光透過部１２０ａが前記装飾カバー１２０に対して普通入賞部５５の前側を覆うように形成されており、当該普通入賞部５５の存在を目立ち難くしている。また、前記装飾カバー１２０の光透過部は、当該光透過部の裏側を前側から容易に透視し得ない程度の透過率となるように着色等されている。すなわち、前記遊技領域２２(第１の流下領域２２ａ)における始動入賞流路や普通入賞流路を流下するパチンコ球に比べて、前記装飾カバー１２０の裏側を流下するパチンコ球の視認性を低下させるよう構成されている。実施例では、前記装飾カバー１２０の光透過部として、透過率が１０〜３０％の範囲となるよう構成されている。すなわち、前記台板部１０２と装飾カバー１２０との間(第１外縁領域ＯＡ１および第２外縁領域ＯＡ２)を流下するパチンコ球の存在を目立ち難くしつつ、当該装飾カバー１２０を注意深く観察することで装飾カバー１２０の裏側にパチンコ球があるか否かを遊技盤２０の前側から確認し得るようになっている。
【００５２】
(取付部材１０１の構成について)
前記取付部材１０１に設けられた前記台板部１０２は、図７、図８に示すように、前記板状部材２１に開設された前記左側入賞ユニット６０を配設する装着口２９を被覆する平板状に形成されている。この台板部１０２は、前記板状部材２１の前面から台板部１０２の前面にパチンコ球が移動可能な厚み寸法に形成されており、前記遊技領域２２(第１の流下領域２２ａ)を流下するパチンコ球が台板部１０２の前面側を通過し得るよう構成されている。なお、前記台板部１０２の前面側の外周縁部は、端部に向かうにつれて板状部材２１に近接する傾斜状に形成されており、前記板状部材２１から台板部１０２の前面にパチンコ球が容易に移動し得るよう構成されている。
【００５３】
また、図７、図８に示すように、前記台板部１０２には、前記内レール部材２５(左側内レール部材２５ａ)の延在方向に離間する複数箇所(実施例では４箇所)に前後に貫通するネジ通孔１０２ａが形成されると共に、当該各ネジ通孔１０２ａの隣接位置に後方へ突出する位置決め突部１０２ｂが形成されており、当該位置決め突部１０２ｂを板状部材２１に形成した図示しない位置決め孔に前側から嵌合させて台板部１０２を位置決めした状態で、各ネジ通孔１０２ａに前側から挿通したネジを板状部材２１のネジ孔(図示せず)に螺挿することで固定されるようになっている。ここで、前記ネジ通孔１０２ａおよび位置決め突部１０２ｂは、前記台板部１０２の上下の端部に夫々設けられると共に、前記内レール部材２５(左側内レール部材２５ａ)から離間した縁部(枠状装飾部材４０側の縁部)に設けられており、当該台板部１０２における枠状装飾部材４０側の縁部が板状部材２１から浮き上がるのを防止している。
【００５４】
図６、図８に示すように、前記左側入賞ユニット６０(取付部材１０１)には、前記台板部１０２の後面に、後方へ突出する取付支持部１０４が形成されている。前記取付支持部１０４は、前記装着口２９の内周面に沿った環状の突片状に形成されており、当該取付支持部１０４を装着口２９に前側から挿入することで、前記位置決め突部１０２ｂが位置決め孔に前後に概ね整列する位置に台板部１０２が板状部材２１に対して位置合わせされるようになっている。すなわち、前記板状部材２１に開設された比較的大きな装着口２９に前記取付支持部１０４を挿入することで、開口の小さな位置決め孔の形成位置を確認することなく前記位置決め突部１０２ｂを対応する位置決め孔に嵌合させ得るようになっている。
【００５５】
(後側球樋部１０５)
また、前記取付支持部１０４には、図７、図８に示すように、１個のパチンコ球が通過可能な開口幅で上方および台板部１０２の前後に開口する断面略Ｕ字状の後側球樋部１０５が形成されている。前記後側球樋部１０５は、前記設置部材８０に設けられた球排出ユニット９０の各球入口９０ａと前後に整列する位置に夫々設けられて、当該後側球樋部１０５の後方開口が球排出ユニット９０の各球入口９０ａに連通するようになっている。そして、前記後側球樋部１０５の前方開口は、前記前側部材１１０に形成された前記普通入賞部５５を形成する対応の前側球樋部１１３(後述)に連通するよう構成されている。すなわち、普通入賞部５５の普通入賞口５５ａに入賞したパチンコ球は、左側入賞ユニット６０に形成された球樋部１０５,１１３を介して設置部材８０の球排出ユニット９０の排出通路に誘導されて、遊技盤２０の外部に排出されるように構成されている。
【００５６】
(前側部材１１０の構成について)
前記前側部材１１０に設けられた前記支持壁部１１１,１１２,１１３,１１７は、パチンコ球の直径以上の幅で前記台板部１０２の前面から前方へ突出する板状に形成されており、前記上方に開口する樋状に形成されてパチンコ球を遊技盤２０(板状部材２１)の裏側に誘導する前側球樋部(球樋部)１１３と、前記遊技領域２２(第１の流下領域２２ａ)を流下するパチンコ球を前記内レール部材２５(左側内レール部材２５ａ)から離間する方向へ案内する球転動部１１１,１１２と、前記左側内レール部材２５ａ(内レール部材２５)に沿って延在する誘導壁部１１７とを備えている。具体的に、前記球転動部としては、前記左側内レール部材２５ａおよび第２上部誘導連釘ＮＬ２を形成する上端の遊技釘３２の間に位置するよう設けられて当該左側内レール部材２５ａから第２上部誘導連釘ＮＬ２に向けて下方傾斜する第１の球転動部１１１と、前記下側案内連釘ＮＬ４が形成する直線の延長線に位置するよう設けられて当該上側案内連釘ＮＬ３に向けて下方傾斜する第２の球転動部１１２とが設けられている。なお、前記支持壁部１１１,１１２,１１３,１１７には、前記内レール部材２５(左側内レール部材２５ａ)の延在方向に離間する複数箇所(実施例では４箇所)に前後に貫通するネジ孔が形成されており、前記台板部１０２に形成された前後に貫通する通孔１０２ｃに後方から挿通したネジを対応するネジ孔に螺挿することにより、前記前側部材１１０と取付部材１０１とが組み付けられるようになっている。
【００５７】
(前側球樋部１１３)について
前記前側球樋部１１３は、図７、図８に示すように、１個のパチンコ球が通過可能な開口幅で上方および後方に開口する断面略Ｕ字状に形成されて、前記下側案内連釘ＮＬ４の下方に形成される前記第２外縁領域ＯＡ２に位置するよう設けられている。また、前記前側球樋部１１３は、前記取付部材１０１と前側部材１１０とを組み付けた際に、前記取付部材１０１に形成された前記後側球樋部１０５の前方開口に連通するよう構成されており、当該前側球樋部１１３の上方開口を通ったパチンコ球が後側球樋部１０５を介して前記球排出ユニット９０に誘導されて、当該球排出ユニット９０の排出通路を通過する過程で前記普通入賞検出センサにより検出されるようになっている。すなわち、前記前側球樋部１１３の夫々が前記普通入賞部５５を構成し、各前側球樋部１１３の上方開口が普通入賞口５５ａを形成している。
【００５８】
ここで、図４、図１０に示すように、実施例の前側部材１１０には、前記第２外縁領域ＯＡ２に位置するよう複数(実施例では３つ)の前側球樋部１１３が形成されている。具体的には、前記前側部材１１０には、前記下側案内連釘ＮＬ４の第１落下口Ｔｂ１を通過したパチンコ球が入賞可能な位置で普通入賞口５５ａが開口するように１つの前側球樋部１１３が設けられ、下側案内連釘ＮＬ４の第２落下口Ｔｂ２を通過したパチンコ球が入賞可能な位置で普通入賞口５５ａが開口するよう１つの前側球樋部１１３が夫々設けられると共に、下側案内連釘ＮＬ４の傾斜下端部を通過したパチンコ球が入賞可能な位置で普通入賞口５５ａが開口するよう１つの前側球樋部１１３が設けられている。ここで、左側の前側球樋部１１３および中間の前側球樋部１１３は、左右に隣接して各球樋部を形成する一方の側壁部(左側の前側球樋部１１３の右側壁部および中間の前側球樋部１１３の左側壁部)が連続するよう一体的に形成されている。
【００５９】
また、図４、図１０に示すように、前記各前側球樋部１１３の夫々は、前記左側内レール部材２５ａに対してパチンコ球が通過可能な間隔で離間する位置に設けられており、当該前側球樋部１１３の下部と左側内レール部材２５ａとの間を前記アウト口３０へ向けてパチンコ球が通過し得るよう構成されている。そこで、以下の説明では、各前側球樋部１１３の下部と左側内レール部材２５ａとの間に形成される球通路をアウト球通路１２５と指称するものとする。具体的には、前記後側球樋部１０５に合わせて前記台板部１０２において前記左側内レール部材２５ａから離間した縁部側(枠状装飾部材４０側の縁部側)に位置するよう設けられる。そして、前記前側部材１１０には、前記左側の前側球樋部１１３と球転動部(第２の球転動部１１２)との間、および隣接する中間の前側球樋部１１３および右側の前側球樋部１１３,１１３の間に、パチンコ球が通過可能な間隔で上下に開口する球通過口(球入口)１１５が夫々形成されている。前記球通過口１１５は、前記第１落下口Ｔｂ１を通過したパチンコ球が通入可能な位置および前記第２落下口Ｔｂ２を通過したパチンコ球が通入可能な位置に夫々設けられており、各球通過口１１５を通過したパチンコ球が前記アウト球通路１２５に流入するよう構成されている。すなわち、前記第１落下口Ｔｂ１を通ったパチンコ球は、前記左側の前側球樋部１１３により形成される普通入賞部５５の普通入賞口５５ａおよび隣接する球通過口１１５の何れかを通過し、前記第２落下口Ｔｂ２を通ったパチンコ球は、前記中間の前側球樋部１１３により形成される普通入賞部５５の普通入賞口５５ａおよび隣接する球通過口１１５の何れかを通過するよう構成されている。なお、前記アウト球通路１２５の底面は前記左側内レール部材２５ａにより形成されており、当該アウト球通路１２５を通過するパチンコ球が左側内レール部材２５ａ上を転動するようになっている。
【００６０】
また、図８に示すように、前記前側部材１１０には、前記右側の前側球樋部１１３からアウト口３０の形成側に離間する位置に、前記装飾カバー１２０の裏面から後方へ向けて突出する突出片１２４が設けられている。すなわち、前記右側の前側球樋部１１３と突出片１２４との間に、前記アウト球通路１２５に開口する球通過口１１５が形成されており、下側案内連釘ＮＬ４の傾斜下端まで誘導されたパチンコ球がアウト球通路１２５に流入し得るよう構成されている。すなわち、実施例の左側入賞ユニット６０は、各普通入賞部５５に隣接して球通過口１１５が設けられており、普通入賞部５５および球通過口１１５の何れにもパチンコ球が入り得るようにすることで、普通入賞流路を流下するパチンコ球の挙動に対する関心を高めうるようにしてある。なお、前記突出片１２４は、前記アウト口３０側の端部に向けて下方傾斜するよう形成されると共に、前記左側内レール部材２５ａからパチンコ球が通過可能な間隔で離間する位置に設けられて、当該突出片１２４および左側内レール部材２５ａによりアウト球通路１２５の球出口１２５ａが形成されるようになっている。
【００６１】
(第１の球転動部１１１について)
前記第１の球転動部１１１は、前記左側内レール部材２５ａに対してパチンコ球が通過不能な間隔で傾斜上端部が隣接すると共に、前記第２上部誘導連釘ＮＬ２を形成する上端の遊技釘３２に対してパチンコ球が通過不能な間隔で傾斜下端部が隣接するよう設けられており、前記遊技領域２２(第１の流下領域２２ａ)を流下する過程で左側内レール部材２５ａ側に移動したパチンコ球を、当該第１の球転動部１１１の傾斜に沿って転動させて第１上部誘導連釘ＮＬ１および第２上部誘導連釘ＮＬ２の間に形成される流路に向けて案内するようになっている。すなわち、前記遊技領域２２の第１の流下領域２２ａは、前記左側入賞ユニット６０に設けられた前記第１の球転動部１１１と、第１および第２上部誘導連釘ＮＬ１,ＮＬ２により前記回転案内部材３３へ向けてパチンコ球を集合させて、前記第１始動入賞部５１へ向けてパチンコ球が流下する期待感を高めるように構成されている。そして、前記第１および第２上部誘導連釘ＮＬ１,ＮＬ２の間の流路を通過する過程で、当該第２上部誘導連釘ＮＬ２の上部間隙Ｔａをパチンコ球が通過するか、前記回転案内部材３３により左方向へパチンコ球が放出されることで、前記第１始動入賞部５１へパチンコ球が向かう前記始動入賞流路から外れて、前記第１外縁領域ＯＡ１へ移動するようになっている。
【００６２】
(第２の球転動部１１２について)
また、図９に示すように、前記第２の球転動部１１２は、前記左側内レール部材２５ａに対してパチンコ球が通過不能な間隔で傾斜上端部が隣接すると共に、前記下側案内連釘ＮＬ４を形成する上端の遊技釘３２に対してパチンコ球が通過不能な間隔で傾斜下端部が隣接するよう設けられている。そして、前記第２の球転動部１１２は、前記第１外縁領域ＯＡ１の下縁部を画成している。すなわち、前記遊技領域２２(第１の流下領域２２ａ)を流下する過程で前記第１外縁領域ＯＡ１に移動したパチンコ球を、前記第２の球転動部１１２の傾斜に沿って転動させて上下の案内連釘の間に形成される前記普通入賞流路に向けて案内するようになっている。すなわち、前記第２の球転動部１１２は、前記第１外縁領域ＯＡ１に移動して前記第１始動入賞部５１に入賞する可能性が消失したパチンコ球を、前記普通入賞部５５へ入賞する可能性がある普通入賞流路へ誘導して、普通入賞部５５への入賞期待を高めるように構成されている。
【００６３】
(誘導壁部１１７について)
前記誘導壁部１１７は、前記第１の球転動部１１１の下部に連接されて、当該誘導壁部１１７の下端部に前記第２の球転動部１１２の傾斜上端部が連設されるよう形成されている。すなわち、前記遊技領域２２(第１の流下領域２２ａ)を流下する過程で前記第１外縁領域ＯＡ１に移動したパチンコ球は、前記誘導壁部１１７により第２の球転動部１１２へ誘導されるようになっている。このように、前記誘導壁部１１７は、前記第１外縁領域ＯＡ１の左縁部を画成している。また、前記誘導壁部１１７は、前記左側内レール部材２５ａに対してパチンコ球が通過不能な間隔で隣接した位置で対向すると共に、当該左側内レール部材２５ａに沿って湾曲するよう設けられており、前記第１外縁領域ＯＡ１に移動したパチンコ球が左側内レール部材２５ａに接触するのを防止しつつ第１外縁領域ＯＡ１を拡大すると共に、当該第１外縁領域ＯＡ１に移動したパチンコ球を第２の球転動部１１２へ向けて滞りなく案内し得るようになっている。
【００６４】
(装飾カバー１２０について)
前記装飾カバー１２０は、図４、図７〜図１０に示すように、前記第１外縁領域ＯＡ１の前面を画成する第１外縁領域画成部(カバー部)１２１と、前記第２外縁領域ＯＡ２の前面を画成する第２外縁領域画成部(第２のカバー部)１２２とから構成されており、当該第１外縁領域画成部１２１や第２外縁領域画成部１２２の裏側をパチンコ球が通過し得るよう前記台板部１０２の前側に位置している。なお、前記装飾カバー１２０は、前記第１外縁領域画成部１２１および第２外縁領域画成部１２２が連続した単一の平板状に形成されており、遊技盤２０を正面側から観察した際に第１外縁領域ＯＡ１と第２外縁領域ＯＡ２との境界を判別し難くして、第１外縁領域ＯＡ１から第２外縁領域ＯＡ２に亘って連続する一体的な装飾をなすようになっている。
【００６５】
(第１外縁領域画成部１２１)
前記第１外縁領域画成部１２１は、図８に示すように、前記第１の球転動部１１１、第２の球転動部１１２および誘導壁部１１７の夫々の前端部に繋がるよう設けられると共に、当該第１の球転動部１１１、第２の球転動部１１２および誘導壁部１１７の夫々の前端部から前記第１案内手段としての第２上部誘導連釘ＮＬ２および回転案内部材３３の形成側(枠状装飾部材４０側)に向けて前記台板部１０２(板状部材２１)と略平行に延出するよう形成されている。すなわち、前記第１の流下領域２２ａを流下する過程で第１外縁領域ＯＡ１に移動したパチンコ球は、前記装飾カバー１２０(第１外縁領域画成部１２１)の裏側を通過するようになっており、第１外縁領域ＯＡ１を流下するパチンコ球が第１外縁領域画成部１２１で隠されるよう構成されている。なお、前述のように、前記装飾カバー１２０(第１外縁領域画成部１２１)は、全体が完全に不透明な形態で形成されたものではなく、裏側を透視可能な透過率で形成された光透過部を有することから、第１外縁領域画成部１２１を注意深く観察することで光透過部を介して第１外縁領域ＯＡ１(装飾カバー１２０の裏側)を流下するパチンコ球を確認し得るようになっている。
【００６６】
また、図４に示すように、前記第１外縁領域画成部１２１において前記第２上部誘導連釘ＮＬ２の下側に隣接する縁部(以下第１縁部１２１ａという)は、前記第２上部誘導連釘ＮＬ２に沿って湾曲した曲線状に形成されている。ここで、前記第１外縁領域画成部１２１の第１縁部１２１ａと前記第２上部誘導連釘ＮＬ２とは、所定間隔で離間するよう構成されて、当該第２上部誘導連釘ＮＬ２に設けられた上部間隙Ｔａをパチンコ球が通過して第１外縁領域ＯＡ１に移動する様子を遊技盤２０の前面側から目視し得るようになっている。そして、前記第１外縁領域画成部１２１において前記回転案内部材３３の左側に隣接する縁部(以下第２縁部１２１ｂという)は、当該回転案内部材３３から所定間隔離間した位置で円弧状に湾曲するよう形成されて、回転案内部材３３により左方向にパチンコ球が放出されて第１外縁領域ＯＡ１に移動する様子を遊技盤２０の前面側から目視し得るようになっている。このように、前記第１外縁領域画成部１２１の第１縁部１２１ａおよび第２縁部１２１ｂは、前記第２上部誘導連釘ＮＬ２および回転案内部材３３に対して所定間隔離間して位置するよう形成されて、当該第２上部誘導連釘ＮＬ２の上部間隙Ｔａや回転案内部材３３の回転により前記始動入賞流路から外れて前記第１外縁領域ＯＡ１へ移動するパチンコ球を目視し得るようにすることで、第１の流下領域２２ａ(始動入賞流路)を流下するパチンコ球の挙動に対して遊技者に不信感を抱かせないようにすることができる。
【００６７】
ここで、実施例では、前記第１外縁領域画成部１２１の第１縁部１２１ａから第２上部誘導連釘ＮＬ２までの間隔は、パチンコ球の直径(略１１ｍｍ)よりも狭い間隔となるよう構成されている。すなわち、前記第１外縁領域画成部１２１の第１縁部１２１ａは、前記第１外縁領域ＯＡ１へ流入するパチンコ球の視認性を確保しつつ、当該第１外縁領域ＯＡ１に流入するパチンコ球を第１外縁領域画成部１２１(装飾カバー１２０)で速やかに被覆して当該パチンコ球が目立つのを好適に防止し得る間隔で第２上部誘導連釘ＮＬ２から離間するように形成される。
【００６８】
また、図４に示すように、前記第１外縁領域画成部１２１の第２縁部１２１ｂは、前記第１縁部１２１ａとの連設位置から下方に向かうにつれて前記回転案内部材３３に近接するよう形成されて、最小の間隔がパチンコ球の直径(略１１ｍｍ)よりも狭い間隔となるよう構成されている。すなわち、前記第１外縁領域画成部１２１の第２縁部１２１ｂは、前記回転案内部材３３の回転中心より上方において当該回転案内部材３３により第１外縁領域ＯＡ１へ放出されるパチンコ球の視認性を確保しつつ、当該第１外縁領域ＯＡ１に放出されたパチンコ球を第１外縁領域画成部１２１(装飾カバー１２０)で速やかに被覆して当該パチンコ球が目立つのを好適に防止し得る間隔で回転案内部材３３から離間するように形成される。また、前記第１外縁領域画成部１２１の第２縁部１２１ｂは、回転案内部材３３に最接近する位置から下方に向かうにつれて当該回転案内部材３３との間の間隔が徐々に拡がるように形成されて、当該第２縁部１２１ｂの下端部が前記第２の球転動部１１２の傾斜下端部よりも傾斜上方側に位置するよう構成されている。
【００６９】
すなわち、前記第２の球転動部１１２は、傾斜上端部から中間位置までの間が前記第１外縁領域画成部１２１で覆われるようになっている。このように、前記第１外縁領域ＯＡ１は、前記第２の球転動部１１２の傾斜上端側において前記第１外縁領域画成部１２１(装飾カバー１２０)により覆われてパチンコ球の視認性を低下させる一方で、第２の球転動部１１２の傾斜下端側においてパチンコ球が第１外縁領域画成部１２１(装飾カバー１２０)により覆われることなくパチンコ球遊技盤２０の前面に直接露出するようになっている。すなわち、前記始動入賞流路から第１外縁領域ＯＡ１に流入して第１始動入賞部５１への入賞可能性が喪失したパチンコ球を前記第１外縁領域画成部１２１(装飾カバー１２０)で被覆することで、第１始動入賞部５１への入賞可能性が残るパチンコ球への注目度を高めつつ、前記第２の球転動部１１２に沿って第１外縁領域ＯＡ１から前記普通入賞流路に移動するパチンコ球を露出させて明確に視認し得るようにすることで、普通入賞部５５への入賞可能性が残るパチンコ球への注目度を高めるようにしてある。
【００７０】
(第２外縁領域画成部１２２)
前記第２外縁領域画成部１２２は、図４に示すように、前記第２の球転動部１１２および各前側球樋部１１３の夫々の前端部に繋がるよう設けられると共に、当該第２の球転動部１１２および各前側球樋部１１３の夫々の前端部から前記左側内レール部材２５ａの配置側(遊技領域２２の外側)に向けて前記台板部１０２と平行に延出するよう形成されている。また、前記第２外縁領域画成部１２２は、前記第２の球転動部１１２および各前側球樋部１１３の夫々の前端部から前記第２案内手段としての下側案内連釘ＮＬ４の形成側(枠状装飾部材４０側)に向けて前記台板部１０２と平行に延出するよう形成されている。
【００７１】
すなわち、前記第２外縁領域画成部１２２と遊技盤２０(板状部材２１)の前面との間をパチンコ球が通過可能に構成されると共に、前記普通入賞部５５を形成する各前側球樋部１１３の前側が装飾カバー１２０(第２外縁領域画成部１２２)で覆われるようになっている。また、前記装飾カバー１２０(第２外縁領域画成部１２２)における前記左側内レール部材２５ａに近接した縁部は、パチンコ球が通過不能な間隔で離間する状態で当該左側内レール部材２５ａに沿うように延在しており、前記前側球樋部１１３の下方に形成される前記アウト球通路１２５の前面が装飾カバー１２０(第２外縁領域画成部１２２)で被覆されるようになっている。
【００７２】
図４に示すように、前記第２外縁領域画成部１２２において前記下側案内連釘ＮＬ４に隣接する縁部(以下、第３縁部１２２ａ)は、当該下側案内連釘ＮＬ４から下方に所定間隔で離間するよう構成されている。そして、前記下側案内連釘ＮＬ４に設けられた第１落下口Ｔｂ１および第２落下口Ｔｂ２から第２外縁領域ＯＡ２に移動するパチンコ球を遊技盤２０の前面側から目視し得るようになっている。より具体的には、前記第２外縁領域画成部１２２の第３縁部１２２ａは、前記第１および第２落下口Ｔｂ１,Ｔｂ２を通過したパチンコ球が各落下口Ｔｂ１,Ｔｂ２に対応する普通入賞口５５ａおよび球通過口１１５の何れに向かうかを遊技盤２０の前面側から目視し得るようになっている。すなわち、下側案内連釘ＮＬ４により誘導されるパチンコ球の行き先を目視し得るようにすることで、パチンコ球の挙動に対して遊技者に不信感を抱かせないようにすることができる。
【００７３】
(実施例の作用)
次に、前述のように構成された実施例に係るパチンコ機１０の作用につき説明する。
【００７４】
前記中枠１２の前面側に設けられた前記操作ハンドル１６を遊技者が回転操作すると、前記打球発射装置１８から発射されたパチンコ球が前記遊技盤２０に設けた案内レール２３により画成された遊技領域２２内に打ち出されて、遊技釘３２等に接触して流下方向を変更しながら遊技領域２２内を流下する。そして、前記遊技領域２２を流下するパチンコ球が前記始動入賞部５１,５２の第１始動入賞部５１または第２始動入賞部５２に入賞することで、前記図柄表示装置１７での図柄組合せ演出が開始され、図柄組合せ演出の結果、図柄表示装置１７に所定の図柄組み合わせで演出図柄が表示されると特別遊技が発生する。特別遊技が発生すると、前記遊技盤２０に設けられた第１または第２特別入賞部５３,５４が開放されると共に、図柄表示装置１７において特別遊技演出が行われる。
【００７５】
ここで、前記遊技領域２２における第１の流下領域２２ａを流下したパチンコ球は、前記遊技盤２０に設けられた第２上部誘導連釘ＮＬ２の上部間隙Ｔａを通過したり、回転案内部材３３の回転に伴って左方向に放出されることで前記第１外縁領域ＯＡ１へ移動し、前記第１始動入賞部５１へ向かう始動入賞流路から外れる。前記第１外縁領域ＯＡ１は、前記左側入賞ユニット６０に設けられた装飾カバー１２０の第１外縁領域画成部１２１により前面が画成されており、当該第１外縁領域画成部１２１の裏側をパチンコ球が通過するようになっている。このように、前記始動入賞流路から外れて第１始動入賞部５１に入賞する可能性が喪失したパチンコ球を装飾カバー１２０(第１外縁領域画成部１２１)により覆うことで、第１始動入賞部５１に入賞する可能性があるパチンコ球を相対的に目立たせることができ、当該第１始動入賞部５１へ向かう可能性があるパチンコ球の挙動に対して遊技者の関心を集中させて遊技の興趣を高めることが可能となる。また、前記第２上部誘導連釘ＮＬ２の上端部と案内レール２３(左側内レール部材２５ａ)との間に第１の球転動部１１１を設けて、第１の流下領域２２ａを流下する過程で左側内レール部材２５ａ側に移動したパチンコ球を第１上部誘導連釘ＮＬ１および第２上部誘導連釘ＮＬ２の間に誘導するようにしたことで、当該第１の流下領域２２ａに打ち出された全てのパチンコ球を始動入賞流路に向かわせることができる。
【００７６】
また、前記装飾カバー１２０(第１外縁領域画成部１２１)の第１縁部１２１ａや第２縁部１２１ｂを前記第２上部誘導連釘ＮＬ２や回転案内部材３３から離間させて、当該第２上部誘導連釘ＮＬ２の上部間隙Ｔａを通過したパチンコ球や、前記回転案内部材３３の回転に伴って左方向に放出されたパチンコ球を遊技盤２０の前面側から視認し得るようにすることで、始動入賞流路を流下するパチンコ球の行き先を確認できるから、遊技者に不信感を抱かせることなく遊技の興趣を高めることができる。また、前記第１外縁領域画成部１２１には裏側を透視可能な低透過率で光透過部が設けられているから、当該第１外縁領域画成部１２１の裏側のパチンコ球を必要に応じて確認することができる。このため、第１外縁領域ＯＡ１の前側を第１外縁領域画成部１２１で覆う構成としても、パチンコ球の球詰まり等が発生しているか否かを目視により確認することが可能である。
【００７７】
また、前記第１外縁領域ＯＡ１に移動して前記第２の球転動部１１２を転動するパチンコ球は、当該第２の球転動部１１２を転動する途中で前記第１外縁領域画成部１２１の側方に移動して、当該第１外縁領域画成部１２１に遮られることなく遊技盤２０の前側に露出するようになっている。すなわち、前記始動入賞流路から外れて第１始動入賞部５１に入賞する可能性が一旦喪失したパチンコ球が、前記普通入賞部５５へ入賞する可能性がある前記普通入賞流路(すなわち下側案内連釘ＮＬ４上)に移動する際にパチンコ球が現れるようにすることで、当該普通入賞部５５へ向かう可能性があるパチンコ球の挙動に対して遊技者の関心を集中させて遊技の興趣を高めることが可能となる。また、前記第１外縁領域ＯＡ１に移動して装飾カバー１２０(第１外縁領域画成部１２１)で覆われるのに伴って消えたように見えるパチンコ球が再び現れることで、意外性のあるパチンコ球の挙動を楽しませることができる。
【００７８】
そして、前記普通入賞流路を流下する過程で前記下側案内連釘ＮＬ４の第１落下口Ｔｂ１または第２落下口Ｔｂ２を通過することで、パチンコ球が前記第２外縁領域ＯＡ２へ移動して前記普通入賞部５５へ向かう普通入賞流路から外れる。前記第２外縁領域ＯＡ２は、前記左側入賞ユニット６０に設けられた装飾カバー１２０の第２外縁領域画成部１２２により前面が画成されており、当該第２外縁領域画成部１２２の裏側をパチンコ球が通過するようになっている。このように、前記普通入賞流路から外れて普通入賞部５５に入賞する可能性が喪失したパチンコ球を装飾カバー１２０(第２外縁領域画成部１２２)により覆うことで、普通入賞部５５に入賞する可能性があるパチンコ球を相対的に目立たせることができ、当該普通入賞部５５へ向かう可能性があるパチンコ球の挙動に対して遊技者の関心を集中させて遊技の興趣を高めることが可能となる。
【００７９】
また、前記装飾カバー１２０(第２外縁領域画成部１２２)の第３縁部１２２ａを前記下側案内連釘ＮＬ４から離間させて、当該下側案内連釘ＮＬ４の第１落下口Ｔｂ１や第２落下口Ｔｂ２を通過したパチンコ球を遊技盤２０の前面側から視認し得るようにすることで、普通入賞流路を流下するパチンコ球の行き先を確認できるから、遊技者に不信感を抱かせることなく遊技の興趣を高めることができる。また、前記第２外縁領域画成部１２２には裏側を透視可能な低透過率で光透過部が設けられているから、当該第２外縁領域画成部１２２の裏側のパチンコ球を必要に応じて確認することができる。このため、第２外縁領域ＯＡ２の前側(アウト球通路１２５の前側)を第２外縁領域画成部１２２で覆う構成としても、パチンコ球の球詰まり等が発生しているか否かを目視により確認することが可能である。
【００８０】
このように、前記左側入賞ユニット６０の第１外縁領域画成部１２１および第２外縁領域画成部１２２により前記第１の流下領域２２ａにおける第１および第２外縁領域ＯＡ１,ＯＡ２を覆うようにすることで、当該第１の流下領域２２ａを流下するパチンコ球の内で、第１始動入賞部５１や普通入賞部５５のように入賞に伴って所定の遊技条件(すなわち特図当り判定条件や賞球の払出条件)が成立する可能性があるパチンコ球に対して遊技者の関心を高めることが可能となる。すなわち、第１外縁領域ＯＡ１への移動(第１始動入賞部５１への入賞可能性の喪失)により遊技者の関心が薄れたパチンコ球や、第２外縁領域ＯＡ２への移動(何れかの入賞部への入賞可能性の喪失)により遊技者の関心が消失したパチンコ球を極力目立たせないようにすることで、パチンコ球の挙動に遊技者を集中させて遊技の興趣を向上することが可能となる。また、第１外縁領域ＯＡ１や第２外縁領域ＯＡ２は、遊技盤２０の前側から僅かに透視することが可能な程度の低透過率の光透過部を介して目視することが可能であるから、パチンコ球の行き先に対する不信感を生じさせることはない。
【００８１】
そして、前記左側入賞ユニット６０の装飾カバー１２０は、前記普通入賞口５５ａに連通する複数(実施例では３つ)の前側球樋部１１３の前面の間に延在するよう構成してある。このため、左側入賞ユニット６０(遊技盤２０)の装飾の自由度が向上し、遊技盤２０に統一性のある装飾を施すことが可能となる。また、前記装飾カバー１２０の裏側にアウト球通路１２５を形成してあるから、前記普通入賞流路の下端まで流下するパチンコ球の流下経路や、前記第１落下口Ｔｂ１や第２落下口Ｔｂ２を介して普通入賞部５５に入賞する流下経路、当該第１落下口Ｔｂ１や第２落下口Ｔｂ２を介してアウト球通路１２５に流入してアウト口３０に向かう流下経路のように、パチンコ球の流下経路を複雑にできる。そして、遊技者の関心が薄れるアウト口３０に導かれるパチンコ球が通過するアウト球通路１２５の前面を装飾カバー１２０で覆うことで、遊技盤２０に設けられた入賞部に入賞する可能性があるパチンコ球に対して遊技者の関心を集中させて遊技の興趣を高め得る。
【００８２】
また、前記装飾カバー１２０は単一の板状に形成してあるから、普通入賞部５５やアウト球通路１２５に繋がる球通過口１１５の形成位置に関わらず自由な形態で装飾カバー１２０を形成することが可能となり、遊技機に合わせた遊技盤２０の装飾を容易に実現可能になる。更に、装飾カバー１２０を単一の板状に形成することで、普通入賞部５５の形成位置に関わらず非光透過部を設けて適宜の装飾を施すことができ、デザインの自由度を向上することができる。そして、前記左側入賞ユニット６０に設けられた複数の普通入賞部５５の前側を連続して覆う装飾形状に非光透過部を形成することで、１つ１つの普通入賞部５５の存在を目立たせないようすることができると共に、普通入賞部５５の位置に関わりなく装飾を施すことができる。
【００８３】
(変更例)
なお、遊技機としては、実施例に示したものに限らず、種々の構成を採用可能である。
【００８４】
(１)  実施例では、入賞部材(左側入賞ユニット)として普通入賞口を有する普通入賞部を設ける構成を示したが、これに限られるものではなく、始動入賞口を有する始動入賞部や特別入賞口を有する特別入賞部を入賞部材に設けるようにしてもよい。すなわち、入賞部材としては、入賞口への遊技球の入賞を契機として遊技の進行に関わる遊技条件が成立する入賞部を備えるようにすることができる。そして、遊技の進行に関わる遊技条件としては、特図当り判定や普図当り判定等の当り判定の判定条件が成立するようにしたり、賞球の払出条件が成立するようにしてもよく、また当り遊技を生起させる当り遊技の発生条件としたり、確変状態等の特定の遊技状態に移行させる遊技状態の変更条件とすることも可能である。
(２)  実施例では３つの入賞部を入賞部材に設けたが、１つまたは２つであってもよく、また４つ以上とすることもできる。また、入賞部材は、前述した各入賞部を混在して備える構成としてもよい。
(３)  実施例では、入賞部材の装飾カバーを単一の板状に形成したが、複数の部材を組み合わせて１つの装飾カバーを形成するようにすることもできる。例えば、第１外縁領域画成部と第２外縁領域画成部とを別々の構成部材として形成することも可能である
(４)  実施例では、入賞部材の装飾カバーで覆われる球通路(アウト球通路)を通過する遊技球がレール部材(左側内レール部材)上を転動するよう構成したが、当該レール部材に沿って延在する底壁部を設けて、当該底壁部を遊技球が転動するようにしてもよい。この場合には、装飾カバーで覆われる球通路(アウト球通路)を通過する遊技球によりレール部材(左側内レール部材)が損耗するのを防止できる。
(５)  実施例では、装飾カバーに非光透過部と光透過部とを設けるようにしたが、全体を非光透過部としたり、光透過部としてもよい。
(６)  実施例では、遊技盤に形成された遊技領域の左下部に配設される入賞部材を例示したが、当該入賞部材を遊技領域の右下部に配設するようにしてもよい。すなわち、入賞部材は遊技盤の適宜位置に配設することができる。
(７)  実施例では、入賞部材として遊技領域の左下部に配設した左側入賞ユニットを例示したが、遊技領域の右下部に配設された右側入賞ユニットに適用することも可能である。
(８)  実施例では、入賞部材に２つの球転動部(第１および第２の球転動部)を備えるよう構成したが、１つの球転動部を備える構成としてもよく、３つ以上の球転動部を備える構成としてもよい。例えば、実施例の第１の球転動部を省略して、当該第１の球転動部の形成位置に遊技釘を備えるようにしてもよい。
(９)  実施例では、前記入賞部材とは別に入球部として第１始動入賞部を設けたが、遊技球の入球を契機として所定の遊技条件が成立する入球部であればよく、例えば第２始動入賞部や特別入賞部、ゲート部、普通入賞部等を採用可能である。なお、入球部への入球を契機として成立する遊技条件と、入賞部材に設けた入賞口への入賞を契機として成立する遊技条件とは、同じ遊技条件であっても異なる遊技条件であってもよい。
(１０)  実施例では、入球部へ入球可能な流路を形成する第１案内手段として、遊技釘から構成される遊技釘群(上部誘導連釘および上部案内連釘)や、回転により遊技球を左右に放出する回転案内部材を備えるよう構成したが、これに限られるものではない。例えば、合成樹脂材等から形成されて遊技球が転動可能な転動面を備える転動部材を、遊技釘から構成される遊技釘群に替えて、あるいは遊技釘群と合わせて第１案内手段を構成することも可能である。また、第２案内手段についても同様である。
【符号の説明】
【００８５】
１７  図柄表示装置(演出表示手段)
２０  遊技盤
２２  遊技領域
２５  レール部材
３０  アウト口
３３  回転案内部材(第１案内手段)
４１  前側表示窓部(表示窓部)
５１  第１始動入賞部(入球部)
５５ａ普通入賞口(入賞口)
６０  左側入賞ユニット(入賞部材)
１０１  取付部材
１０２  台板部
１０５  後側球樋部
１１０  前側部材
１１１  第１の球転動部
１１２  第２の球転動部
１１３  前側球樋部(球樋部)
１１５  球通過口(球入口)
１２０  装飾カバー
１２１  第１外縁領域画成部(第１カバー部)
１２２  第２外縁領域画成部(第２カバー部)
１２５  アウト球通路(球通路)
１２５ａ  球出口
ＮＬ１  第１上部誘導連釘(第１案内手段)
ＮＬ２  第２上部誘導連釘(第１案内手段)
ＮＬ３  上部案内連釘(第１案内手段)
ＮＬ４  下部案内連釘(第２案内手段)
ＯＡ１  第１外縁領域(第１の球転動部および第２の球転動部の間に位置する領域)
ＯＡ２  第２外縁領域(第２の球転動部よりも下方において複数の球樋部の間および当該球樋部よりレール部材側に位置する)
Ｔａ  上部間隙(球通過部)
Ｔｂ１  第１落下口(落下口)
ＴＢ２  第２落下口(落下口)
【図１】
0006317210.tif 000002
【図２】
0006317210.tif 000003
【図３】
0006317210.tif 000004
【図４】
0006317210.tif 000005
【図５】
0006317210.tif 000006
【図６】
0006317210.tif 000007
【図７】
0006317210.tif 000008
【図８】
0006317210.tif 000009
【図９】
0006317210.tif 000010
【図１０】
0006317210.tif 000011
【図１１】
0006317210.tif 000012